(57)【特許請求の範囲】
【請求項１】
携帯電話機や小型のＰＤＡ機器（以下請求項２２まで「携帯電話機」と呼称）であって、携帯電話機本体を机上や膝上に置かずに携帯電話機本体を両手で把持するもので、
概略直方体の携帯電話機本体の最も長い稜線を含む幅の広い面をユーザー顔面の概略正面に位置させ、その面の長手方向をユーザー顔面の上下方向に概略平行に位置させ、両手共に親指と他の残りの４本の指との間で挟んで把持する携帯電話機で、
概略直方体の形状を持つ携帯電話機本体の最も長い稜線を含む幅の狭い方の片面に少なくとも２個のシフトキーと少なくとも１組のジョイキー又はジョイスティック又は矢印キー又はその役目を果たす歯車式又はボール回転式等の入力手段（以下請求項２２まで、ジョイキー又はジョイスティック又は矢印キー又はその役目を果たす歯車式又はボール回転式等の入力手段を「ジョイスティック」と呼称）と少なくとも１０個のキー、幅の狭い方の他の片面に少なくとも１６個のキーを備えている携帯電話機で、
一方の手の親指が前記シフトキーと前記ジョイスティック、他方の手の親指が少なくとも６個のキー、人差し指２本がそれぞれ少なくとも４個のキー、残りの６本の指がそれぞれ少なくとも２個のキーを、いずれの押圧・操作動作する指（以下請求項１５まで、押圧・操作動作する指を「動指」と呼称）も、他のその時に押圧・操作動作しない指（以下請求項１５まで、その時に押圧・操作動作しない指を「静指」と呼称）の配置移動を伴わない程度の動指の移動距離で押圧・操作できるようにシフトキーを含む少なくとも合計２８個のキーとジョイスティックとを配置した携帯電話機で、
携帯電話機本体の最も長い稜線を含む幅の狭い片面に一方の手の親指と他方の手の人差し指、中指、薬指、小指が担当するジョイスティックとキー（以下請求項２１まで、ジョイスティックとキーを「文字入力手段」と呼称）を備えていて、他の片面に他方の手の親指と一方の手の人差し指、中指、薬指、小指が担当するキーを備えていて、携帯電話機本体の長手方向に両手を互いにずらして両手１０本の指を常時文字入力手段に配置でき、それぞれの指は前記移動距離程度に移動すれば目的の文字入力手段を押圧・操作できるホームポジションに置くことができ、
指１０本のうち、任意の１本又は一方の親指と同時に他の残りの９本の指で文字入力手段に入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項２】
携帯電話機であって、携帯電話機本体を机上や膝上に置かずに携帯電話機本体を両手で把持するもので、
概略直方体の携帯電話機本体の最も長い稜線を含む幅の狭い方のジョイスティックのある片面をユーザー顔面の概略正面に位置させ、その面の長手方向をユーザー顔面の上下方向に概略平行に位置させ、両手共に親指と他の残りの４本の指との間で挟んで把持できる携帯電話機で、
概略直方体の形状を持つ携帯電話機本体の最も長い稜線を含む幅の狭い方の片面に少なくとも２個のシフトキーと少なくとも１組のジョイスティックと少なくとも６個のキー、幅の狭い方の他の片面に少なくとも２０個のキーを備えている携帯電話機で、
一方の手の親指が前記シフトキーと前記ジョイスティック、他方の手の親指が少なくとも６個のキー、人差し指２本がそれぞれ少なくとも４個のキー、残りの６本の指がそれぞれ少なくとも２個のキーを、いずれの動指も、他の静指の配置移動を伴わない程度の動指の移動距離で押圧・操作できるようにシフトキーを含む少なくとも合計２８個のキーとジョイスティックとを配置した携帯電話機で、
文字入力時にユーザーが顔面の概略正面にディスプレイの全面を見ることができるディスプレイを備えた携帯電話機で、
片方の手の小指が担当するキーと他方の手の人差し指が担当するキーとが接近するように配置した携帯電話機で、携帯電話機本体の長手方向に両手を互いにずらして両手１０本の指を常時前記文字入力手段に配置でき、それぞれの指は前記移動距離程度に移動すれば目的の文字入力手段を押圧・操作できるホームポジションに置くことができ、
指１０本のうち、任意の１本又は一方の親指と同時に他の残りの９本の指で文字入力手段に入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項３】
携帯電話機であって、携帯電話機本体を机上や膝上に置かずに携帯電話機本体を両手で把持するもので、
概略直方体の携帯電話機本体の最も長い稜線を含む幅の広い面をユーザー顔面の概略正面に位置させ、その面の長手方向をユーザー顔面の上下方向に概略平行に位置させ、両手共に親指と他の残りの４本の指との間で挟んで把持する携帯電話機で、
概略直方体の形状を持つ携帯電話機本体の最も長い稜線を含む幅の狭い方の片面に少なくとも２個のシフトキーと少なくとも１０個のキー、幅の狭い方の他の片面に少なくとも１６個のキーを備えている携帯電話機で、
一方の手の親指が前記シフトキー、他方の手の親指が少なくとも６個のキー、人差し指２本がそれぞれ少なくとも４個のキー、残りの６本の指がそれぞれ少なくとも２個のキーを、いずれの動指も、他の静指の配置移動を伴わない程度の動指の移動距離で押圧できるようにシフトキーを含む少なくとも合計２８個のキーを配置した携帯電話機で、
携帯電話機本体の最も長い稜線を含む幅の狭い片面に一方の手の親指と他方の手の人差し指、中指、薬指、小指が担当するキーを備えていて、他の片面に他方の手の親指と一方の手の人差し指、中指、薬指、小指が担当するキーを備えていて、携帯電話機本体の長手方向に両手を互いにずらして両手１０本の指を常時キーに配置でき、それぞれの指は前記移動距離程度に移動すれば目的のキーを押圧できるホームポジションに置くことができ、
指１０本のうち、任意の１本又は一方の親指と同時に他の残りの９本の指でキーに入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項４】
携帯電話機であって、携帯電話機本体を机上や膝上に置かずに携帯電話機本体を両手で把持するもので、
概略直方体の携帯電話機本体の最も長い稜線を含む幅の狭い方のシフトキーのある片面をユーザー顔面の概略正面に位置させ、その面の長手方向をユーザー顔面の上下方向に概略平行に位置させ、両手共に親指と他の残りの４本の指との間で挟んで把持する携帯電話機で、
概略直方体の形状を持つ携帯電話機本体の最も長い稜線を含む幅の狭い方の片面に少なくとも２個のシフトキーと少なくとも６個のキー、幅の狭い方の他の片面に少なくとも２０個のキーを備えている携帯電話機で、
文字入力時にユーザーが顔面の概略正面にディスプレイの全面を見ることができるディスプレイを備えた携帯電話機で、
一方の手の親指が前記シフトキー、他方の手の親指が少なくとも６個のキー、人差し指２本がそれぞれ少なくとも４個のキー、残りの６本の指がそれぞれ少なくとも２個のキーを、いずれの動指も、他の静指の配置移動を伴わない程度の動指の移動距離で押圧できるようにシフトキーを含む少なくとも合計２８個のキーを配置した携帯電話機で、
片方の手の小指が担当するキーと他方の手の人差し指が担当するキーとが接近するように配置した携帯電話機で、携帯電話機本体の長手方向に両手を互いにずらして両手１０本の指を常時キーに配置でき、それぞれの指は前記移動距離程度に移動すれば目的のキーを押圧できるホームポジションに置くことができ、
指１０本のうち、任意の１本又は一方の親指と同時に他の残りの９本の指でキーに入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項５】
前記請求項１、２、３又は４のいずれか１つに記載の携帯電話機において、一方の側面の文字入力手段又はキーの押圧・操作の反力を他方の側面に配置している指で受け持つためと誤って不要なキーを押すのを防止するために、隣り合ったキーとキーとの間にキーの表面より高さが高いフレームを設けたことを特徴とする携帯電話機。
【請求項６】
前記請求項１、２、３又は４のいずれか１つに記載の携帯電話機において、一方の側面の文字入力手段又はキーの押圧・操作の反力を他方の側面に配置している指で受け持つためと誤って不要なキーを押すのを防止するために、隣り合ったキーの一方の側で、操作する指の根元側にキーの表面より高さが高いフレームを設けたことを特徴とする携帯電話機。
【請求項７】
前記請求項５又は６に記載のフレームの特定の場所の表面に突起を設けた携帯電話機で、ユーザーの指の現在位置をユーザーの触覚によって感知することができることを特徴とする請求項１、２、３又は４のいずれか１つに記載の携帯電話機。
【請求項８】
前記請求項５又は６に記載のフレームの表面の少なくとも１０本の指のホームポジションに、指が入る窪みを設けた携帯電話機で、ユーザーの１０本の指が窪みを触覚によって感知でき、該１０本の指をホームポジションに誘導することができることを特徴とする請求項１、２、３又は４のいずれか１つに記載の携帯電話機。
【請求項９】
携帯電話機で、携帯電話機本体を机上や膝上に置かずに携帯電話機本体を両手で把持するもので、両手共に親指と他の残りの４本の指との間で携帯電話機を挟んで把持でき、概略直方体の形状を持つ携帯電話機本体の最も長い稜線を含む幅の狭い方の両側面に少なくとも２６個のキーを備えている携帯電話機であって、両側面に前記長い稜線に沿って２列にキーが並んでいる携帯電話機で、一方の側面の一列にアルファベットのＵＩＥＯＡを入力できるキーが任意の順序に並んでいて、該キーを一方の手の人差し指で２個のアルファベット、中指、薬指及び小指でそれぞれ１個のアルファベットを入力できることを特徴とする携帯電話機。
【請求項１０】
携帯電話機で、携帯電話機本体を机上や膝上に置かずに携帯電話機本体を両手で把持するもので、両手共に親指と他の残りの４本の指との間で携帯電話機を挟んで把持でき、概略直方体の形状を持つ携帯電話機本体の最も長い稜線を含む幅の狭い方の両側面に少なくとも２６個のキーを備えている携帯電話機であって、両側面に前記長い稜線に沿って２列にキーが並んでいる携帯電話機で、一方の側面の一列にアルファベットのＵＩＥＯＡを入力できるキーが任意の順序で並んでいて、該キーを一方の手の人差し指で２個のアルファベット、中指、薬指及び小指でそれぞれ１個のアルファベットを入力でき、かつ同側面又は他方の側面の一列にアルファベットのＲＨＴＮＳを入力できるキーが任意の順序で並んでいて、該キーを他方の手の人差し指で２個のアルファベット、中指、薬指及び小指でそれぞれ１個のアルファベットを入力できることを特徴とする携帯電話機。
【請求項１１】
携帯電話機で、携帯電話機本体を机上や膝上に置かずに携帯電話機本体を両手で把持するもので、両手共に親指と他の残りの４本の指との間で携帯電話機を挟んで把持でき、概略直方体の形状を持つ携帯電話機本体の最も長い稜線を含む幅の狭い方の両側面に少なくとも２６個のキーを備えている携帯電話機であって、両側面に前記長い稜線に沿って２列にキーが並んでいる携帯電話機で、一方の側面の一列にアルファベットのＵＩＥＯＡを入力できるキーが順に並んでいて、該キーを一方の手の人差し指でＵとＩを、中指でＥを、薬指でＯを、小指でＡのアルファベットを入力できることを特徴とする携帯電話機。
【請求項１２】
携帯電話機で、携帯電話機本体を机上や膝上に置かずに携帯電話機本体を両手で把持するもので、両手共に親指と他の残りの４本の指との間で携帯電話機を挟んで把持でき、概略直方体の形状を持つ携帯電話機本体の最も長い稜線を含む幅の狭い方の両側面に少なくとも２６個のキーを備えている携帯電話機であって、両側面に前記長い稜線に沿って２列にキーが並んでいる携帯電話機で、一方の側面の一列にアルファベットのＵＩＥＯＡを入力できるキーが順に並んでいて、該キーを一方の手の人差し指でＵとＩを、中指でＥを、薬指でＯを、小指でＡのアルファベットを入力でき、かつ同側面又は他方の側面の一列にアルファベットのＲＨＴＮＳを入力できるキーが順に並んでいて、該キーを他方の手の人差し指でＲとＨを、中指でＴを、薬指でＮを、小指でＳのアルファベットを入力できることを特徴とする携帯電話機。
【請求項１３】
携帯電話機であって、概略直方体の形状を持つ携帯電話機本体を机上や膝上に置かずに携帯電話機本体を両手で把持するもので、両手共に親指と他の残りの４本の指との間で挟んで把持する携帯電話機で、携帯電話機本体の長手方向をユーザー顔面に対して概略平行で概略縦方向に位置させ、両手を携帯電話機本体の長手方向に互いに前後にずらして１０本の指を配置できる文字入力手段を備えた携帯電話機で、
概略直方体の形状を持つ携帯電話機本体の最も長い稜線を含む幅の狭い方の両側面に合わせて少なくとも１組のジョイスティックと少なくとも２８個のキーとを備えている携帯電話機で、
一方の手の親指が少なくとも２個のキーと少なくとも１組のジョイスティック、他方の手の親指が少なくとも６個のキー、人差し指２本がそれぞれ少なくとも４個のキー、残りの６本の指がそれぞれ少なくとも２個のキーを入力できることを特徴とする携帯電話機。
【請求項１４】
携帯電話機であって、携帯電話機本体を机上や膝上に置かずに携帯電話機本体を両手で把持するもので、
概略直方体の携帯電話機本体の最も長い稜線を含む幅の広い面に装備したディスプレイの全面をユーザーが顔面の概略正面に見えるように、該幅の広い面の長手方向をユーザーの前歯と眉間とを結んだ直線に概略平行に位置させ、両手共に親指と他の残りの４本の指との間で携帯電話機を挟んで把持でき、両手１０本の指で文字入力する携帯電話機で、
概略直方体の形状を持つ携帯電話機本体の最も長い稜線を含む幅の狭い方の片面に少なくとも２個のシフトキーと少なくとも１組のジョイスティックと少なくとも１０個のキー、幅の狭い方の他の片面に少なくとも１６個のキーを備えた携帯電話機で、
一方の手の親指が前記シフトキーと前記ジョイスティック、他方の手の親指が少なくとも６個のキー、人差し指２本がそれぞれ少なくとも４個のキー、残りの６本の指がそれぞれ少なくとも２個のキーを、いずれの動指も、他の静指の配置移動を伴わない程度の動指の移動距離で押圧・操作できるようにシフトキーを含む少なくとも合計２８個のキーとジョイスティックとを配置した携帯電話機で、
一方の手の親指と他方の手の人差し指、中指、薬指、小指を配置する片面にジョイスティックを備え、他方の手の親指と一方の手の人差し指、中指、薬指、小指を配置する他の片面にキーを備え、一方の手の親指と他方の手の人差し指とが、他方の手の親指と一方の手の小指とが接近するように、又は一方の手の親指と他方の手の小指とが、他方の手の親指と一方の手の人差し指とが接近するようにそれぞれの指が担当するキーを配置し、両手をずらして、両手の平が顔面の方を向くようにして把持する携帯電話機で、両手１０本の指を常時前記文字入力手段に配置でき、それぞれの指は前記移動距離程度に移動すれば目的の文字入力手段を押圧・操作できるホームポジションに置くことができ、
指１０本のうち、任意の１本又は一方の親指と同時に他の残りの９本の指で文字入力手段に入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項１５】
携帯電話機であって、携帯電話機本体を机上や膝上に置かずに携帯電話機本体を両手で把持するもので、
概略直方体の携帯電話機本体の最も長い稜線を含む幅の狭い方のジョイスティックがある片面をユーザー顔面の正面に位置させ、その面の長手方向をユーザーの前歯と眉間とを結んだ直線に概略平行に位置させ、両手共に親指と他の残りの４本の指との間で携帯電話機を挟んで把持でき、両手１０本の指で文字入力する携帯電話機で、
概略直方体の形状を持つ携帯電話機本体の最も長い稜線を含む幅の狭い方の片面に少なくとも２個のシフトキーと少なくとも１組のジョイスティックと少なくとも６個のキー、幅の狭い方の他の片面に少なくとも２０個のキーを備えている携帯電話機で、
一方の手の親指が前記シフトキーと前記ジョイスティック、他方の手の親指が少なくとも６個のキー、人差し指２本がそれぞれ少なくとも４個のキー、残りの６本の指がそれぞれ少なくとも２個のキーを、いずれの動指も、他の静指の配置移動を伴わない程度の動指の移動距離で押圧・操作できるようにシフトキーを含む少なくとも合計２８個のキーとジョイスティックとを配置した携帯電話機で、
両手の親指の爪の平たい面と残りの８本の指の腹面（爪の平たい面の正反対側）とが概略顔面の方を向き、かつ前記爪と腹面の１０個が概略同一平面内に含まれ、一方の手の小指の爪の側部と他方の手の人差し指の爪の側部が接近するようにそれぞれの指が担当するキーを配置し、両手をずらして、両手の平が該電話機本体の最も広い面の両面に互いに向かい合うようにして把持する携帯電話機で、
両手１０本の指を常時前記文字入力手段に配置でき、それぞれの指は前記移動距離程度に移動すれば目的の文字入力手段を押圧・操作できるホームポジションに置くことができ、収納時より概略９０度回転したディスプレイの全面を顔面の概略正面に見ることができるディスプレイを備えた携帯電話機で、
指１０本のうち、任意の１本又は一方の親指と同時に他の残りの９本の指で文字入力手段に入力でき、シフトキー等の条件の切替無しで両手の指のうちのいずれか１本の１回の押圧動作で少なくともアルファベット２６文字又は他の種類の少なくとも２６文字のいずれの１文字も入力できることを特徴とする携帯電話機。
【請求項１６】
前記請求項１４又は１５のいずれか１つに記載の携帯電話機において、側面の長手方向に沿って２列にキーが並んでいる携帯電話機で、一方の側面の一列にアルファベットのＵＩＥＯＡを入力できるキーが任意の順序に並んでいて、該キーを一方の手の人差し指で２個のアルファベット、中指、薬指及び小指でそれぞれ１個のアルファベットを入力できることを特徴とする携帯電話機。
【請求項１７】
前記請求項１４又は１５のいずれか１つに記載の携帯電話機において、側面の長手方向に沿って２列にキーが並んでいる携帯電話機で、一方の側面の一列にアルファベットのＵＩＥＯＡを入力できるキーが任意の順序で並んでいて、該キーを一方の手の人差し指で２個のアルファベット、中指、薬指及び小指でそれぞれ１個のアルファベットを入力でき、かつ同側面又は他方の側面の一列にアルファベットのＲＨＴＮＳを入力できるキーが任意の順序で並んでいて、該キーを他方の手の人差し指で２個のアルファベット、中指、薬指及び小指でそれぞれ１個のアルファベットを入力できることを特徴とする携帯電話機。
【請求項１８】
前記請求項１４又は１５のいずれか１つに記載の携帯電話機において、側面の長手方向に沿って２列にキーが並んでいる携帯電話機で、一方の側面の一列にアルファベットのＵＩＥＯＡを入力できるキーが順に並んでいて、該キーを一方の手の人差し指でＵとＩを、中指でＥを、薬指でＯを、小指でＡのアルファベットを入力できることを特徴とする携帯電話機。
【請求項１９】
前記請求項１４又は１５のいずれか１つに記載の携帯電話機において、側面の長手方向に沿って２列にキーが並んでいる携帯電話機で、一方の側面の一列にアルファベットのＵＩＥＯＡを入力できるキーが順に並んでいて、該キーを一方の手の人差し指でＵとＩを、中指でＥを、薬指でＯを、小指でＡのアルファベットを入力でき、かつ同側面又は他方の側面の一列にアルファベットのＲＨＴＮＳを入力できるキーが順に並んでいて、該キーを他方の手の人差し指でＲとＨを、中指でＴを、薬指でＮを、小指でＳのアルファベットを入力できることを特徴とする携帯電話機。
【請求項２０】
前記請求項１４又は１５のいずれか１つに記載の携帯電話機において、側面の長手方向に沿って２列にキーが並んでいる携帯電話機で、アルファベット２６字のうち、一方の側面の一列にアルファベットのＵＩＥＯＡと、他の１列にＸＶＪＺＱとを入力できるキーが順に並んでいて、該キーを一方の手の人差し指でＵとＩとＸとＶを、中指でＥとＪを、薬指でＯとＺを、小指でＡとＱのアルファベットを入力でき、かつ同側面又は他方の側面の一列にアルファベットのＲＨＴＮＳと、他の１列にＧＭＦＹＢとを入力できるキーが順に並んでいて、該キーを他方の手の人差し指でＲとＨとＧとＭを、中指でＴとＦを、薬指でＮとＹを、小指でＳとＢのアルファベットを入力でき、かつ同側面又は他方の側面の一列にアルファベットのＤＬＣと、他の１列にＫＷＰとを入力できるキーが順に並んでいて、一方の手の親指で入力できることを特徴とする携帯電話機。
【請求項２１】
携帯電話機に速く文字入力するために、携帯電話機本体を机上や膝上に置かずに携帯電話機本体を両手で把持でき、両手共に親指と他の残りの４本の指との間で携帯電話機を挟んで把持でき、上下の筐体をユーザーの顔面に対し上下方向に配置でき、上側の筐体に装備されている文字入力手段を一方の手のみで、下側の筐体の装備されている文字入力手段を他方の手のみで操作でき、両手１０本の指を常時文字入力手段のホームポジションに配置でき、文字入力時の両手の疲労を少なくする手の位置で文字入力を可能にするために、
概略直方体の形状を持つ携帯電話機本体の最も長い稜線を含む幅の狭い方の両面に文字入力手段を配置したもので、上下２個の筐体をピボットで連結した携帯電話機で、文字入力時のみ上側の筐体と下側の筐体との間を定められた１個の角度の捻り状態で、又は数個又は連続した角度の捻り状態の中の１つで固定した携帯電話機で、
指１０本を任意の時、任意の１本又は複数の指で同時に文字入力手段に入力でき、シフトキー等の条件の切替無しで片方の手の親指を除く両手の指のうちのいずれか１本の１回の押圧動作で少なくともアルファベット２６文字又は他の種類の少なくとも２６文字のいずれの１文字も入力できる携帯電話機。
【請求項２２】
前記請求項１より２１のいずれか１つに記載の携帯電話機において、隣り合った２個のキーの代わりに１組の２方向ジョイキー又は１組の２方向ジョイスティックで置き換えた携帯電話機。
【発明の詳細な説明】
技術分野
この発明は、携帯電話機の文字入力装置及びデータ通信端末として利用される通信機能を有する携帯機器の文字入力装置に関する分野。
背景技術
近年のデータ通信技術の発達に伴い、携帯電話機にメール送受信機能を持たせているものやデータ通信機能を有する文字入力装置を備えたＰＤＡ機器（携帯情報端末）がある。
図１は従来の一般的な携帯電話機の正面図である。０２ディスプレイ、０３アンテナ、０４スピーカ、０５マイクロホン、１０電源スイッチ、１１各種モード切替キー、１２ジョイキー、１７文字キー、１６本体より構成されている。
携帯電話機は一般的に、図１に示すようにディスプレイ（情報の表示部）と同じ平面に文字入力が出来るように、約１２個の文字キーと約４個の各種モードを変換するキーとジョイキーを１個備えている。
ＰＤＡ機器もディスプレイと同じ平面に同程度の数のキーを備えている。ＰＤＡ機器はキーの数が携帯電話機のそれより少ないものもあれば、逆にパーソナルコンピューターのキーボードのように５０個以上のキーを備えているものもある。
図２は従来の折り畳み型携帯電話機の文字入力装置の正面図である。中央部に１４ヒンジ機構を設けて、非使用時にはディスプレイとキーボード部が向かい合うように折り畳める構造である。小型になるので持ち運びに便利である。
携帯電話機及びＰＤＡ機器は両方共、ディスプレイと同一平面に文字キーを備えている。または図２に示すように、文字キーを有する平面とディスプレイを有する平面とを非使用時に折り畳むことが出来る機種は、ノートパソコンのようにディスプレイとキーボード部に傾斜角度を有しているが、図１と図２のものはいずれもキーボード部はユーザーから見て正面に見える平面にのみ配置されている。
携帯電話機で文字入力する場合は、図３に示すように右利きのユーザーは右手で携帯電話機を持ち、ディスプレイを目の正面に持って来て右手の親指を移動して次々にキーを押していく。
右手に携帯電話機を持ち、右手の親指を操作してキーを押して文字を入力する場合は、左手は空いているので自由に他の役目（例えば電車の吊革を持ったり、鞄を持ったり）のために使用することができる。
ＰＤＡ機器のうち、小型でかつ片手で操作できる機種は携帯電話機と同じ使い方になる。左利きのユーザーの場合は右利きのユーザーの反対側の手と指を使用してキーを押す。
ＰＤＡ機器の大型のものは机上に置いて両手の指を使用してパーソナルコンピューターのキーボードのようにして文字を入力するので、片方の手を自由に他の役目のために使用することができない制約と共に机や膝を必ず使用しなければならない制約がある。片手で保持し同じ方の手の指で操作する携帯電話機と小型のＰＤＡ機器は保持している片手の手の親指を約１２個ある正面のキーボード部で順番に動かして文字を入力しなければならない。従って親指が各キーを押す入力速度で文章を作成する速度が決定される。
また、携帯電話機の正面のキーボード部には約１２個のキーがあり、アルファベットのＡよりＺまでの２６文字と数字１０文字が割当てられている。平均して１個のキーに３種類のアルファベット文字と数字１文字が割当てられている。
親指のみを使用して入力する場合の文字入力速度は、パーソナルコンピューターのように両手の１０本の指を使用して入力する速度に比較して約２０分の１の速度である。これではデータ通信速度が速い技術を開発しても、文字入力速度が改善しないのでは技術が十分生かされない。これは片手の親指１本のみを使い、親指の担当するキーの数が多すぎるために親指の動く範囲が広すぎるのと、親指の動く範囲が広すぎてブラインドタッチ（押すキーを見ないで、押されたキーが表示されるディスプレイのみを見ながらキーを押す動作）をするのが著しく困難であるからである。ユーザーはディスプレイと１２個の正面のキーボードとを交互に視線を移すことになるので、入力速度が落ちるだけで無く入力誤りが増加することになる。
このように携帯電話機や小型のＰＤＡ機器の文字入力速度を現状よりも速くすることが望まれる。また、両手が自由になる状態においては必ずしも片手のみで携帯電話の文字入力をする必要は無く、両手を使えば文字入力速度がさらに速くなるならば、全てのユーザーがそのような装置を望む。
携帯電話機の文字入力速度を机上のパーソナルコンピューター程度に速くできることができればビジネス業務連絡等の飛躍的な需要拡大が可能である。
現在、このような文字キーを備えた携帯電話機もしくはＰＤＡ機器は販売されていない。現状では一般的技術水準としては次の特許が公開されているが、
ＪＰ２００１−０２２５０１
ＪＰ０９−０８３４０２
ＪＰ２０００−５９４８３
ＪＰ２０００−１５１７７４
ＪＰ２００１−０６０９９９
ＥＰ  １０４７０９
ＪＰ２００１−１１７７０９
ＪＰ１０−２２４２８８
ＪＰ０６−２７４２５７
ＵＳ４７９１４０８
ＵＳ４３６０８９２
ＵＳ５２８１９６６
ＪＰ２０００−２４４６２３
ＪＰ２０００−２７６５３
いずれも側面にキーを５個程度設置して、片手の指５本までを使用して文字入力を速くしようと試みたり、情報をアクセスする場合携帯電話機正面のキーの数がスペース上制限されて少ないために、これを側面の４個程度の補助キーを備えて正面の約１２個のキーの役割を拡大しようとしているにすぎない。
正面の約１２個のキーのみを使用してソフトウエアの工夫で携帯電話機の文字入力速度を速くしようとする公開特許が多数あるがどれも効果的なものは無い。
現状では一般に販売されていない理由として、これらの側面キーや側面補助キーを設置した携帯電話機の文字入力速度が現状の正面にキーボードを装備した市販品より圧倒的に上回ることができないためである。
注目すべきことはＪＰ２０００−２４４６２３の外付けキーボードで携帯電話機とＪＩＳキーボード盤をケーブルで連結したものがヒット商品になっている。
ＪＰ２０００−２７６５３は両手の小指をＰＤＡ機器に固定して把持しようというものである。これらの公開特許から現状の携帯電話機の文字入力がいかに入力し難いものであるかを示している。
発明の開示
これらの現状の技術は携帯電話機本体を両手で把持し両手１０本の指を使用して文字入力するという発想が無く、かつ片手のみで操作しようとする発想から抜け出ていない。両手の１０本の指を使えば文字入力速度が飛躍的に増加することに気付いていないのである。片手で掴める最近の小型の携帯電話機に両手１０本の指を使って文字入力しようとすると手の位置をどこにどのように配置するかに工夫がいる。
その前にまず、携帯電話機で１０本の指を同時に使用しようとする着想が必要である。
さらに両手で携帯電話機を把持すれば、１０本の指の内それぞれの指１本１本に２個以上の複数のキー（親指は６個以上）を区別して押圧できるという指の機能があることを気付いていないのである。携帯電話機を片手で把持して、把持した方の指でキーを押圧しようとすれば人差し指、中指、薬指、小指で指の長さ方向に並んでいる前後の２個以上のキーを区別して押すことは現実的に不可能だからである。しかし、さらに発展してキーとキーとの間にキーよりも高さが高いフレームを設けることにより片手で把持したまま人差し指、中指、薬指、小指で指の長さ方向に並んでいる前後の２個以上のキーを区別して押すことが可能になったのである。
さらに両手で携帯電話機を把持して、両手の１０本の指を使えば利き手（他方の手の指より良く動き、多くの細かい操作が出来る方の手のこと。）に多くの細かい操作をさせるために、右利きユーザーが使用する携帯電話機の文字入力手段と左利きユーザーが使用する携帯電話機の文字入力手段の装備位置が左右で異なり、同一種類を使用し難いという問題も気づくことができる。又は左利きのユーザーは右利きユーザーが使用する携帯電話機をそのまま使用して右手の指が良く動くように訓練して十分使用できるようになることにも気づく。
携帯電話機は従来より電話機という機能から始まったために、メール機能が付加されたにもかかわらず、一般に片手で操作するという発想から抜けていないである。携帯電話機でメールの文章を入力する場合は実際は両手が自由に使える場合が圧倒的に多いのに気づいていないのである。あるいは携帯電話機を両手で把持すれば右手の指と左手の指が携帯電話機表面の同一位置で重なり１０個のキーは押せないではないかと考えるのかも知れない。
携帯電話機でメールの文章を入力する場合は待合室、車中、ベンチに腰掛けている状態、立ち止まっている状態等で両手が使用できる状態が圧倒的に多いことに着目して解決したのである。
図１７は本発明の携帯電話機で両手で保持し両手の指１０本で文字入力する携帯電話機であり、さらに両手で携帯電話機を把持すれば、１０本の指の内それぞれの指１本１本に２個以上の複数のキー（親指は６個以上）を区別して押圧できるという指の機能があることを考え付いた携帯電話機の超高速文字入力装置である。
概略直方体の形状を持つ携帯電話機本体の最も長い稜線を含む幅の狭い方の両面にキーを配置し、両手共に親指と他の残りの４本の指との間で携帯電話機を挟んで把持すると、両面のキーの押圧力と反力とによる偶力が最小になり、携帯電話機を把持し易く、かつ、キーを非常に押し易い構造になる。
また、右手と左手を互いに前後にずらして携帯電話機を把持すると１０本の指を携帯電話機の側面全面に効率良く配置できるので多くのキーを押圧することができる。
また、概略直方体の形状を持つ携帯電話機本体の最も長い稜線を含む幅の狭い方の両面にキーを配置すると、従来からある正面のキーボードを省略できる。従って正面のディスプレイの面積を拡大することができるので一目で確認できる情報量を増加させることができる重要な利点がある。折り畳み型携帯電話機の場合は従来からある下部本体のキーボード部の面積をディスプレイの面積として使用することができる。
さらに図２１は本発明の１種類の携帯電話機で右利きユーザーも左利きユーザーも使用できる携帯電話機である。
図１７に示す携帯電話機の左側面は８３−１、８３−２の近接したキーが９行２列で計１８個、右側面は８２ジョイキーと９１−１、９１−２の近接したキー８行２列で計１６個、携帯電話機正面は３７文字入力制御権キー及び従来の携帯電話機に存在する１０電源スイッチ、１１各種モード切替スイッチ、１２ジョイキーより構成されている。
図１８は図１７の携帯電話機に文字を両手１０本の指で入力中の概観図である。
この図は右利きのユーザーを示している。良く動く右手に多くの細かい仕事をする必要がある８２ジョイキーと９１−１、９１−２シフトキー等を操作させるからである。
図１８に示すように、右側面の８２ジョイキーと９１−１、９１−２、９２−１、９１−２、９３−１、９３−２キーの６個を右手の親指が担当し、左側面の８３−１、８３−２、８４−１、８４−２キー４個を右手人差し指、８５−１、８５−２キーを右手中指、８６−１、８６−２キーを右手薬指、８７−１、８７−２キーを右手小指がそれぞれ担当する。
左側面の８８−１、８８−２、８９−１、８９−２、９０−１、９０−２キーの６個を左手親指が担当し、右側面の９４−１、９４−２、９５−１、９５−２キーの４個を左手人差し指が担当し、９６−１、９６−２を左手中指、９７−１、９７−２キーを左手薬指、９８−１、９８−２を左手小指がそれぞれ担当する。
従来は図３に示すように、片手の親指のみを使用してディスプレイと同じ向きの平面の１２個のキーを操作する場合は、例えば英語のアルファベット２６字の場合は１個のキーが３文字を担当する。図１に示すように、アルファベットの大文字「Ｃ」を入力する場合は「Ａ」の１７−１キーを３回続けて押すことになる。また、アルファベットの小文字「ｃ」を入力する場合は「Ａ」の１７−１キーを６回続けて押すか、又は小文字を入力するためのモード切換えスイッチを親指で切り換えた後に「Ａ」の１７−１キーを３回続けて押さなければならない。この後アルファベットの他の大文字を入力したい時はモード切換えスイッチを再度押して元に戻す操作をする必要がある。
これに対し本発明で大文字「Ｃ」を入力する場合は、図１８に示すように右手親指で図１７の右側面の９１−２キーを押した状態で左側面の８４−１キーを１回押せばよい。また、アルファベットの小文字「ｃ」を入力する場合は右手親指で何のキーも押さない状態で左側面の８４−１キーを１回押せば良い。
この発明の特に優れている特徴は右側面の右手親指が担当するキーの切替無しで残っている９本の指で２６個のキーを押すことができるので、アルファベットの２６文字のいずれの１文字も入力できるという点にある。
右側面の右手親指が担当するキーの切替はアルファベット大文字と小文字と数字・記号・機能の３種類だけである。ここでは右手親指が９１−１キーを押した状態で数字・記号・機能が入力される。
数字混じりの英文を入力する場合は、右手親指が何のキーも押さない状態と２個のキー（９１−１、９２−２キー）を区別して押すだけでよい。
３つの状態すなわちアルファベット小文字と大文字と数字・記号・機能を、右手親指が何も押さない、９１−１キーを押す、９１−２キーを押すのいずれにもソフトウエアによって割り振ることができる。
使用するユーザーの仕事の内容によって小文字と大文字と数字・記号・機能の使用頻度は異なるので１１各種モードキーでユーザーが各々設定できるようにソフトウエアを設計できる。
これは初回にユーザーが設定すれば頻繁に変更するものではない。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
さらに１１各種モードキーでモードを変更して、９２−１、９２−２キーをシフトキーとして使用することにより日本語５１音もローマ字入力を使用しないで直接入力できる。このように本発明は英語でも日本語でもその他のアルファベット２６字又は他の２６字で変換できる言語なら何語でも応用できるものである。
アルファベットの場合、大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
当然の如く、単に携帯電話機で電話番号を押して電話する場合も、右手の親指で９１−１を押した状態で図１７に示すように他の側面キーを押すことにより１、２、・・、９、０を入力できる。
右手の親指で９１−１を押した状態でその他の残りの１６個のキーは「Ｂａｃｋ  Ｓｐａｃｅ」、「ＤＥＬ」、「ＥＮＴ」、「．」、「，」等の英文入力に必要な記号や機能に割り当てることができる。
右側面の９２−１、９２−２、９３−１、９３−２キーは両手使用時で英語入力時は不要のキーである。これらのキーは省略しても良いし、「Ｂａｃｋ  Ｓｐａｃｅ」、「ＤＥＬ」、「ＥＮＴ」、「．」、「，」等に割当てて英文入力速度を上げるのに使用しても良い。
しかし９２−１、９２−２、９３−１、９３−２キーは日本語では「ひらがな」、「カタナカ」の全角と半角、数字の全角と半角、記号の全角と半角で計７種類があるのでこれをモード切替キーとして使用するとより速く入力できる。
左利きのユーザーが使用する場合は、図１７の左右側面の文字入力手段を全て左右対称に装備した携帯電話機で図１８に示す右手と左手を入れ替えるだけでよい。左手親指で８２ジョイキーを操作することになる。左利きユーザーでも図１７に示す携帯電話機を右利きユーザーと同じ方の手を使用して右手の指を慣れさせることもできる。
両手が使える状態では図１８に示す使い方になる。やむを得ず片手のみしか使えない状態（電車の吊り革に掴まっている状態等）では、３７文字入力制御権キーを押して片手モードに切り替えることができる。この使用方法はあくまで非常時の補助的な使い方である。
将来、携帯電話機でメールの文章を入力する場合は両手で実行するのが常識になれば、片手モードは不要にしてもよい。
ただ単に電話機として使用する場合は１１モードキーでモード設定できるように設計し、数字１０個を左側面の９行１列（８３−２、８４−２、８５−２、８６−２、８７−２、８８−２、８９−２、９０−２、９９−２キー）と右側面の９１−１キーの１０個又は左側面の８行１列（８３−２、８４−２、８５−２、８６−２、８７−２、８８−２、８９−２、９０−２）と右側面の９１−１と９１−２キーの１０個に割り振り、これを使用して片手のみで電話することは可能である。
しかし、最近の携帯電話機は相手先の電話番号をメモリーに保管しておき、それを１２ジョイキーで選択して電話する場合が多いので、単なる電話機として電話番号を押す作業は非常に少なく、２，３秒手間取っても全く支障を来たさないと考えられる。
図１９は図１７の携帯電話機を本発明の片手モードで使用している図である。
ここで言う片手モードというのは左側面キーは８７−１、８７−２、８８−１、８８−２、９０−１、９０−２、９９−１、９９−２キーの８個、右側面の８２ジョイキーと９１−１、９１−２、９２−１、９２−２、９３−１、９３−２、９４−１、９４−２キーの８個が文字入力制御権を得て、残りの左側面の８３−１、８３−２、８４−１、８４−２、８５−１、８５−２、８６−１、８６−２、８９−１、８９−２キーの１０個及び右側面の９５−１、９５−２、９６−１、９６−２、９７−１、９７−２、９８−１、９８−２キー８個が全て無効になるモードである。左側面のキーは人差し指、中指、薬指、小指にそれぞれ２個のキーを割り当てているのは、右手で携帯電話機を把持してその状態で入力作業を行う時、図３０に示すようにキーとキーとの間のフレームがキーの高さより高い機構を利用すれば、これらの４本の指には２個のキーを区別して押圧することが可能だからである。右手の親指は細かな区別ができるので多くのキーを割り当てている。片手モードであっても文字入力速度は片手の親指のみを使用するキーの配置よりも控えめに見積っても約４倍に速くなる。
３７文字入力制御権キーはその機能さえあればよいのであり、他の１１モード切替キーで置き換えることも出来るし、ある定められた複数のキーを同時に押すとか、定められたキーを一定時間長く押すことで代替できるものである。
図３０の断面Ｘ−Ｘに示しているのは隣り合ったキーに入力誤り無く文字を入力できるように工夫した発明である。
断面Ｘ−Ｘに示しているのは、隣り合ったキーの間にキーより高さが高いフレームを設けてある。反対側面のキー操作で押す力の反力を指で受け持つために指を置くためのフレームである。フレーム上に指を置いておくと反対側面のキー操作力の反力をフレーム上の指で受け持っても誤って不要なキーを押さないように、フレームの高さをキーの高さより高くしてある。フレームに指を置いた位置より指を移動せずに隣り合ったキーのいずれも押圧することができる。
また、ブラインドタッチで入力するので指のホームポジションを確認するために図３０の２０７黒丸印に示すフレームの特定の場所の表面に指の触覚で確認できる突起が付けてある。
また、ブラインドタッチで入力するので指のホームポジションを確認するために図３０のＹ視に示すように、２０２フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
また、図３０は図１７の携帯電話機のキーにアルファベットを割当てた発明である。従来の携帯電話機は約１２個のキーにアルファベット２６文字を割当てていたので文字入力速度は非常に遅いものであった。他方、パーソナルコンピューターは上中下に４段のＱＷＥＲＴＹキーボードであった。
ＱＷＥＲＴＹキーボードは世界中で使用されているが文字出現頻度、指の移動距離による手の疲労、文章をタイプする時の左右の手の交互打キーによる快適なリズム、西洋の文字と東洋の文字の出現頻度の相互の譲り合い等を考えられたものでは無かった。
従来の携帯電話機では一方の手の指用に２列に並んだキー配置で、両手の指１０本を全て使い１回のキー押圧動作でアルファベット２６文字のいずれも入力できる装置は過去に無いが、本発明は従来のキーボードの欠点を補うものになっている。英語では文字出現頻度はＥＴＡＯＩＮＳＲＨＬＤＣＵＭＦＰＧＷＹＢＶＫＸＪＱＺの順になっていて、ＵＩＥＯＡの母音がその他の子音の間に出現する傾向は基本的にある。これに対し、日本語では文字出現頻度はＩＯＡＵＮＫＴＥＳＲＹＨＭＧＤＺＷＢＰの順になっている。東洋の文字はＵＩＥＯＡの母音が子音と交互に出現する特徴は明確である。図３０は西洋と東洋の文字出現頻度の高い文字ＵＩＥＯＡとＲＨＴＮＳとを両手の人差し指、中指、薬指、小指で最小限の指の移動で押圧できるように１列に並べて指の移動距離を短くしている。
また、人差し指、中指、薬指。小指の順に指の使用回数の負担がかかるように文字を配置してある。また、左右の手の指の交互打キーによる快適なリズム、西洋の文字出現頻度及び構造だけで無く東洋の文字出現頻度及び構造も考慮されているので世界の言語に使用できる。
図４４では数字１、２、・・９、０の１０文字が視覚で覚え易い位置に配置してある。
また、図３０に示すようにアルファベットが並んでいる携帯電話機でシフトキーを押した時、アルファベットのＲのキーに数字の１を、Ｇに２、Ｈに３、Ｍ４、Ｔに５、Ｆに６、Ｎに７、Ｙに８、Ｓに９、Ｂに０を割り付ける。そうすると、シフトキーを操作する方の片手の指のみで電話番号等の数字を１，２、・・・、９、０まで全て押圧できるので非常に便利で能率的である。
図１７は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。片手モード時の入力文字は通常と異なるので色が変わって印字表示されている。
図１８と図１９は図１７の携帯電話機において、親指が選択したキーの状態に対応した入力文字を案内するために、携帯電話機のディスプレイに親指が選択したキーに対応する入力文字を表示している。例えば図１８のように表示された状態で左側面の一番上の８３−１キーを押すとディスプレイの一番上の左側の文字「Ａ」を入力できる。親指が別のキーを選択するとそれに応じてディスプレイに表示される文字内容も変わる。図１９に示す携帯電話機の例は片手モードであるから左側面のキーの数が４個であるから、ディスプレイには４個の文字が表示される。いずれも携帯電話機の小さいディスプレイの中でキー入力の案内を有効に活用できる。
【図面の簡単な説明】
図１は従来の携帯電話機の文字入力装置の正面図である。
図２は従来の折り畳み型携帯電話機の文字入力装置の正面図である。
図３は図１の従来の携帯電話機に文字を入力中の外観図である。
図４は本発明の両手で保持し両手の指で文字入力する携帯電話機の１例である。
図５は図４の携帯電話機に文字を入力中の概観図である。
図６は本発明の図４のキーの数に対する入力キーの組み合わせと出力の数の１例を表した図である。
図７は第４図のキー配置を持つ本発明の折り畳み型携帯電話機の文字入力装置の正面図である。
図８は図４の携帯電話機を片手モードで使用している図である。
図９は図４の携帯電話機を片手モードで使用する場合のキーの数に対する入力キーの組み合わせと出力の数の１例を表した図である。
図１０は本発明の両手で保持し両手の指で文字入力でき、片手モードでも使用できる携帯電話機で英字圏で使用するに適するようなキーの数にした他の１例である。
図１１は本発明の両手で保持し両手の指で文字入力する携帯電話機で右利き及び左利きの両方に使用でき、右手及び左手の片手モードでも使用できる１例である。
図１２は図１１の携帯電話機に文字を入力中の概観図である。
図１３は図１１の携帯電話機を本発明の片手モードで使用している図である。
図１４は本発明の両手で保持し両手の指で文字入力する携帯電話機で右利き及び左利きの両方に使用でき、右手及び左手の片手モードでも使用できる１例である。
図１５は図１４の携帯電話機に文字を入力中の概観図である。
図１６は図１４の携帯電話機を本発明の片手モードで使用している図である。
図１７は本発明の両手で保持し両手の指で文字入力する携帯電話機の最良の形態の１例である。
図１８は図１７の携帯電話機に両手１０本の指で文字を入力中の概観図である。
図１９は図１７の携帯電話機を本発明の片手モードで使用している図である。
図２０は図１７のキー配置を持つ本発明の折り畳み型携帯電話機の文字入力装置の正面図である。
図２１は本発明の両手で保持し両手の指１０本で文字入力する携帯電話機の超高速文字入力装置の１例である。
図２２は図２１の携帯電話機に文字を入力中の概観図である。
図２３は図２１の携帯電話機を本発明の片手モードで使用している図である。
図２４は本発明の両手で保持し両手の指１０本で文字入力する携帯電話機の超高速文字入力装置の他の１例である。
図２５は図２４の携帯電話機に文字を両手１０本の指で入力中の概観図である。
図２６は本発明の両手で把持し両手の指１０本で文字入力する携帯電話機の超高速文字入力装置の１例である。
図２７は図２６の携帯電話機に文字を入力中の概観図である。
図２８は本発明の両手で把持し両手の指１０本で文字入力する携帯電話機の超高速文字入力装置で手の疲労が少ない他の１例である。
図２９は図２８の携帯電話機に文字を入力中の概観図である。
図３０は図１７の携帯電話機のキーに本発明の思想で文字を割当てたもので、隣り合ったキーの間に、キーより高さが高いフレームがある携帯電話機である。
図３１は図２６の携帯電話機のキーに本発明の思想で文字を割当てたもので、隣り合ったキーの間に、キーより高さが高いフレームがある携帯電話機である。
図３２は図２４の携帯電話機のキーに本発明の思想で文字を割当てたもので、隣り合ったキーの間に、キーより高さが高いフレームがある携帯電話機である。
図３３は図１７の携帯電話機のキーに本発明の思想で文字を割当てたもので、キーより高さの高いフレームが隣り合ったキーの一方の側にある携帯電話機である。
図３４は図２６の携帯電話機のキーに本発明の思想で文字を割当てたもので、キーより高さの高いフレームが隣り合ったキーの一方の側にある携帯電話機である。
図３５は図２４の携帯電話機のキーに本発明の思想で文字を割当てたもので、キーより高さの高いフレームが隣り合ったキーの一方の側にある携帯電話機である。
図３６は本発明の両手で保持し両手の指で文字入力する携帯電話機の１例である。
図３７は図３６の携帯電話機に文字を入力中の概観図である。
図３８は図３６の携帯電話機を本発明の片手モードで使用している図である。
図３９は本発明の両手で保持し両手の指１０本で文字入力する携帯電話機の超高速文字入力装置で手の疲労が少ない他の１例である。
図４０は図３９の携帯電話機に文字を入力中の概観図である。
図４１は図３９の携帯電話機を本発明の片手モードで使用している図である。
図４２は本発明の両手で保持し両手の指１０本で文字入力する手帳型携帯電話機の超高速文字入力装置の他の１例である。
図４３は図４２の携帯電話機に文字を両手１０本の指で入力中の概観図である。
図４４は図３６の携帯電話機のキーに本発明の思想で文字を割当てた携帯電話機である。
図４５は図３９の携帯電話機のキーに本発明の思想で文字を割当てた携帯電話機である。
図４６は図４２の携帯電話機のキーに本発明の思想で文字を割当てた携帯電話機である。
発明を実施するための最良の形態
実施例１
図４は両手で保持し両手の指１０本で文字入力する携帯電話機の１例である。
０１本体、０２ディスプレイ、０３アンテナ、０４スピーカ、０５マイクロホン、左側面キーは２３、２４、２５、２６、３０キーの５個、左側面小型キーは２７−１、２７−２、２８−１、２８−２、２９−１、２９−２キーの３組であり、右側面キーは３１、３２、３３、３４キーの４個、右側面小型キーは２０−１、２０−２、２１−１、２１−２、２２−１、２２−２キーの３組、１９  ４方向ジョイスティック、３５、３６各種モード切替スイッチ、携帯電話機正面は３７文字入力制御権スイッチ、斜線部で示す３８指休憩場所、及び従来の携帯電話機に存在する１０電源スイッチ、１１各種モード切替スイッチ、１２  ４方向ジョイスティック、１２個の１７文字キーより構成されている。
図５は図４の携帯電話機に文字を両手１０本の指で入力中の概観図である。
この図５は右利きのユーザーを示している。
図４の携帯電話機の左右全てのキー、小型キー、４方向ジョイスティック及び各種モード切替スイッチを左右対称に装備すると左利きのユーザー用となる。
図５に示すように、右側面の１９  ４方向ジョイスティック、２０−１、２０−２、２１−１、２１−２、２２−１、２２−２小型キーの３組及び３５、３６各種モード切替スイッチを右手の親指が担当し、左側面の２３、２４、２５、２６キーの４個は右手の人差し指、中指、薬指、小指がそれぞれ担当する。
左側面の２７−１、２７−２、２８−１、２８−２、２９−１、２９−２小型キーの３組を左手の親指が担当し、右側面の３１、３２、３３、３４キーの４個は左手の人差し指、中指、薬指、小指がそれぞれ担当する。
２０−１と２０−２キーは近接しているので１個をそれぞれ押す、２個同時に押す状態を含めて３通り、同じく２１−１と２１−２、２２−１と２２−２、２７−１と２７−２、２８−１と２８−２、２９−１と２９−２でそれぞれ３通りできるので６組の小型キーで計１８通りを選択できる。この状態で残った指９本は全て他のキーを押せる状態にあるから、残った指の方の親指に３個のキー（親指は他の指に比較して良く動くので）を担当させると１８通り掛け１１は１９８文字が入力できる。さらに小型キー６組をいずれも押さない状態では８個のキーを押せるので、合計２０６文字（種類）が入力できる。（右側面の２０−１を押した状態では左側面の２７−１と２７−２はいずれを押しても１文字として計算している。２８、２９も同様である。これは右側面で近接した矢印キーの細かい作業をしているので、左側面には注意を払わなくて済むように１文字にしている。）
斜線で示す３８指休憩場所は筐体より少し高くなっており、反対側面のキー操作で押す力の反力を受け持つために指を置く場所である。指が滑りにくい面に加工してある。誤って不要なキーを押さないためのものである。窪みを付ける等で指の位置を定める役割もある。
右側面の１９  ４方向ジョイスティックは０２ディスプレイ上のカーソルを上下左右へ移動することが主な仕事になるが、日本語の漢字入力の場合の「ひらがな」より「漢字」、「カタカナ」への変換等に割り当ててもよい。３５モード切替スイッチは英字と自国語（日本語では「ひらがな」、中国では「漢字」、韓国では「ハングル文字」）への切り替え、３６は全角と半角との切り替え、日本語では「カタカナ」等の切り替えに使用してもよい。３５を２通りのモード切替、３６を３通りのモード切替機能を持つように設定すると計６通りのモード切替ができる。２０６文字掛ける６通りで１，２３６文字（種類）が作成できる。
この１，２３６文字は必ずしも文字に固定されるものではない。「スペース」キーとしても、「ＤＥＬＥＴＥ」（デリート）キーに割り当ててもよい。この内の１文字分を特殊記号の集合の代表キーに指定すると特定の１文字分を入力し、次に引き続いて１９４方向ジョイスティックを繰り返し動かすことにより多数の特殊記号を選択することができる。３５、３６モード切替スイッチを一定に設定しておいても合計２０６文字が入力できるので、文字入力の際はこのスイッチは煩雑には使わない。従って右手の親指が常駐している位置から少し離れた位置に配置して親指の移動距離が少し大きくなっても差し支えはない。
図６は本発明の図４のキーの数に対する入力キーの組み合わせと出力の数の１例を表した図である。これによると英語の一般的な文章のみ（数字を含む）を入力する場合は入力組み合わせが十分多いのでモード切替スイッチは使う必要がない。
日本語の一般的な文章を入力する場合は「ひらがな」、「漢字」、「カタカナ」の全角と半角、「数字」の全角と半角、「英字」の全角と半角が含まれるので全てを賄うには２つのモード切替が必要になる。ローマ字入力方法（アルファベットで「ひらがな」を入力する方法）を導入すると１モードで可能な入力文字数が増加するのでモード切替の頻度が非常に少なくなる。モード切替スイッチの切り替え回数が少なくなるようにキーを合理的に文字に割り振るのは本発明の目的では無いので、ここではどの程度の入力文字数が入力可能かを説明するに留める。
このように両手の１０本全ての指にキーを担当させるキー配置にすることによって、１回の動作（親指を押した状態で他の指を１回押す）で２０６文字を入力できるので、訓練するとオフィスで使用される机上のノートパソコン並の速度で文字入力できることになる。
文字入力速度は片手の親指のみを使用するキーの配置よりも控えめに見積っても約８倍に速くなる。
図７は図４のキー配置を持つ本発明の折り畳み型携帯電話機の文字入力装置の正面図である。
図４の３７文字入力制御権スイッチは続けて押すと３通りのモードに切り替えることができるスイッチである。両手が使える状態では図５に示す使い方になる。片手のみしか使えない状態（電車の吊り革に掴まっている状態）等では、スイッチを１回押して片手モードに切り替えることができる。更にもう１回押すと従来の携帯電話機に存在する０２ディスプレイと同じ向きの１１各種モード切換えスイッチ、１２  ４方向ジョイスティック、１２個の１７文字キーを使用できるようになり、両側面のキーは押したとしても無効になる。
ここで言う片手モードというのは左側面キーは２６、２７、２９、３０キーの４個、右側面の１９  ４方向ジョイスティック、２０−１、２０−２、２１−１、２１−２、２２−１、２２−２小型キーの３組、３５、３６各種モード切替スイッチが文字入力制御権を得て、残りの左側面の２３、２４、２５キー、２８−１、２８−２小型キー及び右側面の３１、３２、３３、３４キーが全て無効になるモードである。正面の１２個の１７文字キーももちろん無効になる。２７−１と２７−２キーはこの場合は片方を押しても両方を押しても１文字に入力される。２９キーも同様である。これは中指と薬指は２７−１と２７−２キー等の細かな区別入力作業ができないためである。
図８は図４の携帯電話機を本発明の片手モードで使用している図である。
このように３７文字入力制御権スイッチを使用することによって、ユーザーの両手の状態や好みによって３種類に切り替えることができる。従来機種の文字入力に慣れたユーザーは、従来の携帯電話機に存在する０２ディスプレイと同じ向きの１２個の１７文字キーを使用しながら序々に両手の指全部又は片手モードを使えるように訓練することもできる。
当然の如く、片手モードを省略するか、又は従来の正面の文字キーを無くして３つのモードを２つのみのモードにした経済的な携帯電話機も作ることができる。片手モードの場合は右側の２０−１、２０−２、２１−１、２１−２、２２−１、２２−２小型キーの３組で９通り、何も押さないのが１通りで計１０通りであり、左側面のキーが４個あるので、１０通り掛け４で合計４０文字が入力できる。
３５、３６各種モード切替スイッチで６通りのモードを変えられるので２４０文字（種類）を作成できる。
図９は図４の携帯電話機を片手モードで使用する場合のキーの数に対する入力キーの組み合わせと出力の数の１例を表した図である。
図４は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図５と図８は図４の携帯電話機において、モード切替スイッチと親指が選択したキーの状態に対応した入力文字を案内するために、携帯電話機のディスプレイに親指が選択したキーに対応する入力文字を表示している。例えば図５のように表示された状態で左側面の一番上の２３キーを押すとディスプレイの一番上の左側の文字「Ａ」を入力できる。親指が別のキーを選択するとそれに応じてディスプレイに表示される文字内容も変わる。
図８に示す携帯電話機の例は片手モードであるから左側面のキーの数が４個であるから、ディスプレイには４個の文字が表示される。携帯電話機の小さいディスプレイの中でキー入力の案内を有効に活用できる。
実施例２
図１０は本発明の両手で保持し両手の指で文字入力でき、片手モードでも使用できる携帯電話機で英字語圏で使用するに適するようなキーの数にした１例である。
０１本体、０２ディスプレイ、０３アンテナ、０４スピーカ、０５マイクロホン、左側面キーは２３、２４、２５、２６、２７、２８、２９、３９、３０キーの９個、右側面キーは２０−１、２０−２、２１−１、２１−２、２２−１、２２−２キーの６個と３１、３２、３３、３４キーの４個、１９  ４方向ジョイスティック、携帯電話機正面は３７文字入力制御権スイッチ、斜線部で示す３８指休憩場所、及び従来の携帯電話機に存在する１０電源スイッチ、１１各種モード切替スイッチ、１２  ４方向ジョイスティック、１２個の１７文字キーより構成されている。
図１０の携帯電話機は図５の携帯電話機に文字を両手１０本の指で入力中の概観図とほぼ同じに把持する。
図１０は右利きのユーザー用携帯電話機を示している。
図１０の携帯電話機の左右全ての入力手段を左右対称に装備すると左利きのユーザー用となる。
図１０は右側面の１９  ４方向ジョイスティック、２０−１、２０−２、２１−１、２１−２、２２−１、２２−２小型キーの６個を右手の親指が担当し、左側面の２３、２４、２５、２６キーの４個は右手の人差し指、中指、薬指、小指がそれぞれ担当する。
左側面の２７、２８、２９、３９、３０キーの５個を左手の親指が担当し、右側面の３１、３２、３３、３４キーの４個は左手の人差し指、中指、薬指、小指がそれぞれ担当する。
２０−１小型キーを押した状態では残りの９本の指で小文字「ａ」から「ｍ」まで１３文字を選択でき、２０−２小型キーを押した状態で残った指９本で「ｎ」から「ｚ」まで１３文字を選択できる。
次に２１−１、２１−２を押した状態で大文字「Ａ」から「Ｚ」までの２６文字を選択できる。
２０−１から２２−２小型キーまでのいずれのキーも押さない状態で１から・・９、０まで１０個の数値を１３個のキーに割り振ることができる。残った３個のキーは「．」、「，」、「スペース」キー等に割り振ることができる。合計６５文字（種類）を入力できるので英語圏の人々の文字入力には便利である。
余っている２２−１、２２−２小型キーを使用して更に計２６文字（種類）を入力できるので特殊記号等に使うことができる。
これは左手の親指に５個のキーを担当させて負担をかけ、右手の親指の選択するキーの通りを少なくして英字２６文字と数値１０個を効率的に配置した１例である。
右手の親指の選択するキーを６通りに増加すれば左手の親指の担当するキーを図４と同様に３個に減少して、６通り掛け１１で６６文字を入力できので、同様の機能を持たせることができる。この場合でも、あと４通り余っているので４通り掛け１１で４４文字の文字入力が可能である。
１９  ４方向ジョイスティック、３７文字入力制御権スイッチ、斜線で示す３８指休憩場所は図４の使用方法、機能、構造ともに同じである。
図１０の片手モードというのは左側面キーは２５、２６、２７、２９、３０キーの５個、右側面の１９  ４方向ジョイスティック、２０−１、２０−２、２１−１、２１−２、２２−１、２２−２小型キーの６個が文字入力制御権を得て、残りの左側面の２３、２４、２８、３９キー及び右側面の３１、３２、３３、３４キーが全て無効になるモードである。正面の１２個の１７文字キーももちろん無効になる。
図１０の片手モードの把持方法は図８の携帯電話機を使用している図と同じである。
片手モードの場合は右側の２０−１、２０−２、２１−１、２１−２、２２−１、２２−２小型キーの６個それぞれのキーと近接した２０−１と２０−２を同時に、２１も２２も２０と同様に押せるので９通り、何も押さないのが１通りで計１０通りであり、左側面のキーが４個あるので、１０通り掛け４で合計４０文字が入力できる。
左側面２５キーを片手モードの時だけモード切替機能を持つように設定しておくと８０文字が入力できるので、英字の２６字の大文字と小文字で５６文字プラス数値１０文字で６６文字。残りの１４文字は特殊記号に割り振れば片手モードでも英語圏の人々の文字入力には便利である。左側面２５キーは右手人差し指が移動して担当する。
本発明のようなキー配置をして、両手が使用出来る時、両手の指１０本を全て使用すると、モード切替キー１個の切替のみで残りの９本の指を使用してアルファベット２６文字が入力できるので、従来の片手の親指１本の場合に比べて文字入力速度は増すことになる。しかも本発明は、慣れると親指１本に比べてブラインドタッチができるまでの訓練期間がはるかに少ない。
ブラインドタッチができると、文字入力速度はさらに速度を増すことになる。
本発明により携帯電話機の文字入力速度は机上のノートパソコンの文字入力速度に匹敵するようになり、携帯電話機の通信手段としての新たな革新的分野は開ける。本発明により、両手で保持し両手の指全部で操作するものと、片手しか使えない時片手で保持し同じ方の手の指で操作する携帯電話の文字入力速度を従来よりはるかに速くできるので、ユーザーの大幅な利便性の向上が計れる。
実施例３
図１１は本発明の両手で保持し両手の指１０本で文字入力する携帯電話機で右利き及び左利きの両方に使用でき、右手及び左手の片手モードでも使用できる１例である。
０１本体、０２ディスプレイ、０３アンテナ、０４スピーカ、０５マイクロホン、左側面キーは５２、５３、５４−１、５４−２、５５−１、５５−２、５６−１、５６−２、５７、５８、５９、６０、６１、６２キーの１４個と４０  ４方向ジョイスティック、右側面キーは４１、４２、４３−１、４３−２、４４−１、４４−２、４５−１、４５−２、４６、４７、４８、４９、５０、５１キーの１４個、３９  ４方向ジョイスティック、斜線部で示す３８指休憩場所、携帯電話機正面は３７文字入力制御権スイッチ及び従来の携帯電話機に存在する１０電源スイッチ、１１各種モード切替スイッチ、１２  ４方向ジョイスティックより構成されている。
図１２は図１１の携帯電話機に文字を両手１０本の指で入力中の概観図である。
この図は右利きのユーザーを示している。
図１２に示すように、右側面の３９  ４方向ジョイスティック、４３−１、４３−２、４４−１、４４−２、４５−１、４５−２キーの６個及び４１、４２、４６各種モード切替スイッチを右手の親指が担当し、左側面の５２、５３、５４−２、５６−２キーの４個は右手の人差し指、中指、薬指、小指がそれぞれ担当する。
左側面の５８、５９、６０キーの３個を左手の親指が担当し、右側面の４７、４９、５０、５１キーの４個は左手の人差し指、中指、薬指、小指がそれぞれ担当する。
左側面の４０  ４方向ジョイスティック、５４−１、５５−１、５５−２、５６−１、５７、６１、６２キー、右側面の４８キーは右利きで１０本指を使用する場合は無効になる。
図１１で大文字「Ｃ」を入力する場合は、図１２に示すように親指で図１１の右側面の４３−１キーを押した状態で左側面の５４−２キーを１回押せばよい。
また、アルファベットの小文字「ｃ」を入力する場合は親指で４４−１キーを押した状態で左側面の５４−２キーを１回押せば良い。
本発明を利用すると、文字入力速度は片手の親指のみを使用するキーの配置よりも控えめに見積っても約８倍に速くなる。
当然の如く、単に携帯電話機で電話番号を押して電話する場合も側面キーを使用できる。
両手が使える状態では図１２に示す使い方になる。片手のみしか使えない状態（電車の吊り革に掴まっている状態等）では、３７スイッチを押して片手モードに切り替えることができる。
図１３は図１１の携帯電話機を本発明の右手片手モードで使用している図である。
この図は右利きのユーザーを示している。
ここで言う右手片手モードというのは左側面キーは５７、５８、６０、６１キーの４個、右側面の３９  ４方向ジョイスティック、４３−１、４３−２、４４−１、４４−２、４５−１、４５−２キーの６個、４１、４２、４６キー（各種モード切替スイッチになる。）が文字入力制御権を得て、残りの左側面の５２、５３キー、４０  ４方向ジョイスティック、５４−１、５４−２、５５−１、５５−２、５６−１、５６−２、５９、６２キー及び右側面の４７、４８、４９、５０、５１キーが全て無効になるモードである。
片手モードであっても文字入力速度は片手の親指のみを使用するキーの配置よりも控えめに見積っても約４倍に速くなる。
図１１に示す携帯電話機は右利きでも左利きでも使用できるように設計されている。
３７文字入力制御権スイッチを続けて押すことによって、右利きで両手１０本の指使用、左利きで両手１０本の指使用、右手５本の指のみの使用、左手５本の指のみの使用の４種類に文字入力制御権を切替えることができる。
左利きで使用するキーは上に説明した右利きのキー及び４方向ジョイスティックの対称の位置のキー及び４方向ジョイスティックである。
図１２のように携帯電話機に文字を両手１０本の指で入力する場合は、右手親指で４３−１と４３−２キーは近接しているので１個をそれぞれ押す、２個同時に押す状態を含めて３通り、同じく４４−１と４４−２、４５−１と４５−２でそれぞれ３通りできるので６個のキーで計９通りを選択できる。右手親指で何も押さない状態も含めると計１０通りになる。この状態で残った指９本は全て他のキーを押せる状態にあるから、残った指の方の親指に３個のキー（親指は他の指に比較して良く動くので）を担当させると１０通り掛け１１は１１０文字が入力できる。
４１、４２キーをモード切替スイッチに割り振ると４１を２通り、４２を３通りにモードを変化させると計６通りになるので最大６６０文字まで入力できる。
斜線で示す３８指休憩場所は筐体より少し高くなっており、反対側面のキー操作で押す力の反力を受け持つために指を置く場所である。指が滑りにくい面に加工してある。誤って不要なキーを押さないためのものである。窪みを付ける等で指の位置を定める役目もある。
右側面の３９  ４方向ジョイスティックは０２ディスプレイ上のカーソルを上下左右へ移動することが主な仕事になるが、日本語の漢字入力の場合の「ひらがな」より「漢字」  「カタカナ」への変換等に割り当ててもよい。６６０文字の１つは「スペース」キーとしても、「ＤＥＬＥＴＥ」（デリート）キーに割り当ててもよい。この内の１文字分を特殊記号の集合の代表キーに指定すると特定の１文字分を入力し、次に引き続いて３９  ４方向ジョイスティックを繰り返し動かすことにより多数の特殊記号を選択することができる。
このように両手の１０本全ての指にキーを担当させるキー配置にすることによって、１回の動作（親指を押した状態で他の指を１回押す）で１１０文字を入力できるので、訓練するとオフィスで使用される机上のノートパソコン並の速度で文字入力できることになる。
右手の片手モードは図１３に示すように、左側面の５７、５８、６０、６１キー４個を右手の人差し指、中指、薬指、小指がそれぞれ担当し、右側面の３９  ４方向ジョイスティック、４３−１、４３−２、４４−１、４４−２、４５−１、４５−２キーの６個、４１、４２、４６キー（各種モード切替スイッチになる。）を右手の親指が担当する。
右手親指で４３−１、４３−２、４４−１、４４−２、４５−１、４５−２キーで前に説明したように１０通りであるから右手の残りの指４本であるから、１０掛け４は４０通りである。モード切替スイッチ４１、４２、４６キーを使用することにより入力文字数は８０、１２０、１６０字と拡大していく。片手モードでも全ての言語に対応できる。
図１１は携帯電話機において、キーに対応した入力文字を案内するために、携帯電話機の本体正面に、キーに対応する入力文字を常時印字表示したものである。本発明の携帯電話機の文字入力時に便利である。
図１２と図１３は図１１の携帯電話機において、モード切替スイッチと親指が選択したキーの状態に対応した入力文字を案内するために、携帯電話機のディスプレイに親指が選択したキーに対応する入力文字を表示している。例えば図１２のように表示された状態で左側面の一番上の５２キーを押すとディスプレイの一番上の左側の文字「Ａ」を入力できる。親指が別のキーを選択するとそれに応じてディスプレイに表示される文字内容も変わる。図１３に示す携帯電話機の例は右手片手モードであるから左側面のキーの数が４個であるから、ディスプレイには４個の文字が表示される。携帯電話機の小さいディスプレイの中でキー入力の案内を有効に活用できる。
実施例４
図１４は本発明の両手で保持し両手の指で文字入力する携帯電話機で右利き及び左利きの両方に使用でき、右手及び左手の片手モードでも使用できる１例である。
０１本体、０２ディスプレイ、０４スピーカ、０５マイクロホン、１０電源スイッチ、斜線部で示す３８指休憩場所、６３ヒンジ機構、左側面は７３、７４、７５、７６、７７、７８、７９、８０キーの８個、右側面は６４  ４方向ジョイスティック、６６、６７、６８、６９、７０、７１、７２キーの７個、３７文字入力制御権スイッチより構成されている。
図１５は図１４の携帯電話機に文字を両手１０本の指で入力中の概観図である。
この図は右利きのユーザーを示している。
図１５に示すように、右側面の６４  ４方向ジョイスティック、３７、６６、６７、６８、６９キーの５個を右手の親指が担当し、左側面の７３、７４、７５、７６キーの４個は右手の人差し指、中指、薬指、小指がそれぞれ担当する。
右側面の７０、７１、７２キーの３個を左手の親指が担当し、左側面の７７、７８、７９、８０キーの４個は左手の人差し指、中指、薬指、小指がそれぞれ担当する。
図１５に示すようにこの携帯電話機に文字を両手１０本の指で入力する場合は、０１本体の右側面をユーザーの目の正面に持ってくる。そして０２ディスプレイは６３ヒンジ機構を中心にして１８０度広げて３６０度旋回することができるのでユーザーの目の正面に動かして固定することができる。
右手と左手を入れ替えるだけでモードスイッチの切替無しで右利きと左利きのどちらでも使用できる。
本発明を利用すると、文字入力速度は片手の親指のみを使用するキーの配置よりも控えめに見積っても約８倍に速くなる。
両手が使える状態では図１５に示す使い方になる。片手のみしか使えない状態（電車の吊り革に掴まっている状態等）では、３７キーを押して片手モードに切り替えることができる。
図１６は図１４の携帯電話機を本発明の右手の片手モードで使用している図である。
この図は右利きのユーザーを示している。
ここで言う片手モードというのは左側面キーは７６、７７、７８、７９、８０キーの５個、右側面の６４  ４方向ジョイスティック、３７、６６、６７、６８、６９キーの５個が文字入力制御権を得て、残りの左側面の７３、７４、７５キーの３個及び右側面の７０、７１、７２キーの３個が全て無効になるモードである。
この携帯電話機は片手で使用する場合でも右利き左利き共使用するキーは同じである。
片手モードの左手で使用する場合は図１６と同じキーを左手の同じ指で操作するが、ユーザーの正面はこの携帯電話機の裏側になる。この場合でも０２ディスプレイは６３ヒンジ機構を中心にして１８０度広げて１８０度旋回し、更に１８０度折り畳むと０２ディスプレイは本体の裏側になり、右手と同じような条件で使用することができる。
斜線で示す３８指休憩場所は図４の使用方法、機能、構造ともに同じである。
図１５のように携帯電話機に文字を両手１０本の指で入力する場合は、右手親指で６７、６８、６９キーは近接しているので１個をそれぞれ押す、２個同時に押す状態を含めて５通り、同じく左手親指で７０、７１、７２でそれぞれ５通りできるので計１０通りになる。この状態で残った指９本は全て他のキーを押せる状態にあり、残った他の親指に３個のキーを担当させると１０通り掛け１１は１１０文字が入力できる。右手と左手親指で何も押さない状態では残りの指８本が使えるので１１８文字が入力できる。
６６キーをモード切替スイッチに割り振ると２３６、３５４文字と拡大して入力できる。
右側面の６４  ４方向ジョイスティックの機能は図４と同じである。このように１０本全ての指にキーを担当させるキー配置にすることによって、１回の動作（親指を押した状態で他の指を１回押す）で１１８文字を入力できるので、訓練するとオフィスで使用される机上のノートパソコン並の速度で文字入力できることになる。
片手モードは図１６に示すように、左側面の７７、７８、７９、８０キー４個を右手の人差し指、中指、薬指、小指がそれぞれ担当し、７６キーは人差し指が出張して担当する。右側面の６４  ４方向ジョイスティック、３７文字入力制御権スイッチ、６７、６８、６９キーの３個、６６キー（各種モード切替スイッチになる。）を右手の親指が担当する。
右手親指で６７、６８、６９キーで前に説明したように６通りであるから右手の残りの指４本であるから、６掛け４は２４通りである。モード切替スイッチ７６、６６キーを使用することにより入力文字数は４８、７２、９６文字と拡大していく。
英語の場合は７２文字あれば通常の文字作成には十分である。
実施例５
図１７は本発明の両手で保持し両手の指１０本で文字入力する携帯電話機の超高速文字入力装置の最良の形態の１例である。
この装置は０１本体、０２ディスプレイ、０３アンテナ、０４スピーカ、０５マイクロホン、左側面は８３−１、８３−２、８４−１、８４−２、８５−１、８５−２、８６−１、８６−２、８７−１、８７−２、８８−１、８８−２、８９−１、８９−２、９０−１、９０−２、９９−１、９９−２キーが９行２列で計１８個、右側面は８２ジョイキーと９１−１、９１−２、９２−１、９２−２、９３−１、９３−２、９４−１、９４−２、９５−１、９５−２、９６−１、９６−２、９７−１、９７−２、９８−１、９８−２キーが８行２列で計１６個、携帯電話機正面は３７文字入力制御権キー及び従来の携帯電話機に存在する１０電源スイッチ、１１各種モード切替スイッチ、１２ジョイキーより構成されている。
図１８は図１７の携帯電話機に文字を両手１０本の指で入力中の概観図である。
図１８はまた、両手で保持し両手１０本の指を文字入力手段のホームポジションに配置した概観を示している。
この図は右利きのユーザーを示している。
図１８に示すように、右側面の８２ジョイキーと９１−１、９１−２、９２−１、９２−２、９３−１、９３−２キーの６個を右手の親指が担当し、左側面の８３−１、８３−２、８４−１、８４−２キー４個を右手人差し指、８５−１、８５−２キーを右手中指、８６−１、８６−２キーを右手薬指、８７−１、８７−２キーを右手小指がそれぞれ担当する。
左側面の８８−１、８８−２、８９−１、８９−２、９０−１、９０−２キーの６個を左手親指が担当し、右側面の９４−１、９４−２、９５−１、９５−２キーの４個を左手人差し指が担当し、９６−１、９６−２キーを左手中指、９７−１、９７−２キーを左手薬指、９８−１、９８−２キーを左手小指がそれぞれ担当する。
右手親指で何のキーも押さない状態で残りの９本の指で２６個のキーを押すとアルファベットの小文字「ａ」から「ｚ」まで２６文字が入力できる。次に右手親指で９１−２を押した状態で残りの９本の指で２６個のキーを押すとアルファベットの大文字「Ａ」から「Ｚ」まで２６文字が入力できる。
右手親指で９１−１を押した状態で数字の１，２、・・、９，０の１０個が８３−１、８３−２、８４−１、８４−２、８５−１、８５−２、８６−１、８６−２、８７−１、８７−２キーを押すことにより入力できる。その他の残りの１６個のキーは「Ｂａｃｋ  Ｓｐａｃｅ］、「ＤＥＬ］、「ＥＮＴ」、「．」、「，」等の英文入力に必要な記号や機能に割り当てることができる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて８２ジョイキーを繰り返し動かすことにより多数の特殊記号を選択することができる。
本発明により１個のキーの役割が２種類（アルファベットと数字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
このように本発明は英語でも日本語でもその他のアルファベット２６字又は他の種類の２６文字で変換できる言語なら何語でも応用できるものである。
右側面の８２ジョイキーは０２ディスプレイ上のカーソルを上下左右へ移動することが主な仕事になるが、日本語の漢字入力の場合の「ひらがな」より「漢字」、「カタカナ」への変換等に割り当てることができる。
９２−１、９２−２、９３−１、９３−２キーは英字と自国語（日本語では「ひらがな」、「カタカナ」、中国では「漢字」、韓国では「ハングル文字」）への切り替え、全角と半角とのモード切替キーとして使用することができる。
よく活動できる親指や人差し指に使用する頻度が多い文字キーを合理的に割り振り、文字入力速度を最高速に上げるのは他の実施例で述べるので、ここでは大文字、小文字、数字・機能・記号キーの３つを大きく分類して入力可能であることを説明するのに留める。
左側面の９９−１、９９−２キーは片手モードの時のみ使うように右手の小指が接触する最適の位置に設けられているのである。
両手使用時に９９−１と９９−２キーの２個に文字を割当てることにより、２８文字で表現される言語にも適用できる。
右側面の９２−１、９２−２、９３−１、９３−２キーは両手使用時で英語入力時は不要のキーである。これらのキーは省略しても良いし、「Ｂａｃｋ  Ｓｐａｃｅ］、「ＤＥＬ］、「ＥＮＴ」、「．」、「，」等に割当てて英文入力速度を上げるのに使用しても良い。
しかし９２−１、９２−２キーは日本語では「ひらがな」、「カタカナ」の全角と半角、数字の全角と半角、記号の全角と半角で計７種類があるのでこれをモード切替キーとして使用するとより速く入力できる。
両手の指１０本を使用した別の文字入力方法を述べる。
８８−１、８９−１キーを左手親指でシフトキーとして使い、９１−２、９２−２キーを右手親指でシフトキーとして使い、残りの８本の指で２０個のキーを文字キーとして使う方法がある。両手の親指で何も押さない場合を含めてシフトモードは５通りある。従って５通り掛け２０文字で１００文字を入力できる。シフトキーの数を６個に増加すると１４０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
図２０は図１７のキー配置を持つ本発明の折り畳み型携帯電話機の文字入力装置の正面図である。１４ヒンジ機構を利用して折り畳む。
図１７の３７文字入力制御権キーは続けて押すと２通りのモードに切り替えることができるキーである。両手が使える状態では図１８に示す使い方になる。やむを得ず、片手のみしか使えない状態（電車の吊り革に掴まっている状態）等では、３７キーを１回押して片手モードに切り替えることができる。更にもう１回押すと従来の携帯電話機に存在する０２ディスプレイと同じ向きの１１各種モード切換えスイッチ、１２ジョイキーとその他正面に装備されている文字キー等を使用できるようになり、両側面のキーは押したとしても無効になる。
図１９は図１７の携帯電話機を本発明の右手片手モードで使用している図である。
図１９はまた、右手保持し保持した方の片手５本の指を常時文字入力手段のホームポジションに配置した概観を示している。
両手が使える状態では図１８に示す使い方になる。やむを得ず片手のみしか使えない状態（電車の吊り革に掴まっている状態等）では、３７キーを押して片手モードに切り替えることができる。この使用方法はあくまで非常時の補助的な使い方である。
図１９は図１７の携帯電話機を本発明の片手モードで使用している図である。
ここで言う片手モードというのは左側面キーは８７−１、８７−２、８８−１、８８−２、９０−１、９０−２、９９−１、９９−２キーの８個、右側面の８２ジョイキーと９１−１、９１−２、９２−１、９２−２、９３−１、９３−２、９４−１、９４−２キーの８個が文字入力制御権を得て、残りの左側面の８３−１、８３−２、８４−１、８４−２、８５−１、８５−２、８６−１、８６−２、８９−１、８９−２キーの１０個及び右側面の９５−１、９５−２、９６−１、９６−２、９７−１、９７−２、９８−１、９８−２キー８個が全て無効になるモードである。左側面のキーは人差し指、中指、薬指、小指にそれぞれ２個のキーを割り当てているのは、右手で携帯電話機を把持してその状態で入力作業を行う時、図３０に示すようにキーとキーとの間のフレームがキーの高さより高い機構を利用すれば、これらの４本の指には２個のキーを区別して押圧することが可能だからである。右手の親指は細かな区別ができるので多くのキーを割り当てている。片手モードであっても文字入力速度は片手の親指のみを使用するキーの配置よりも控えめに見積っても約４倍に速くなる。
片手モードの場合は右側の右手の親指の使い方は９１−１、９１−２、９２−１、９２−２、９３−１、９３−２をそれぞれ押すと６通り、何も押さないのが１通りで計７通りであり、左側面のキーが８個あるので、７通り掛け８で合計５６文字が入力できる。
片手モードの時だけ９４−１と９４−２をモード切替キーとして使用するように機能を設計すると単純に設計しても４つのモードが作れるから１１２文字、１６８文字、２２４文字と増加していく。一般に数字が混入している英語は８０文字で十分入力できるのでモード切替キーを煩雑に切り替える必要は無い。
図１７は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図１８と図１９は図１７の携帯電話機において、モード切替キーと親指が選択したキーの状態に対応した入力文字を案内するために、携帯電話機のディスプレイに親指が選択したキーに対応する入力文字を表示している。例えば図１８のように表示された状態で左側面の一番上の８３−１キーを押すとディスプレイの一番上の左側の文字「Ａ」を入力できる。親指が別のキーを選択するとそれに応じてディスプレイに表示される文字内容も変わる。図１９に示す携帯電話機の例は片手モードで左側面のキーの数が４個であるから、ディスプレイには４個の文字が表示される。携帯電話機の小さいディスプレイの中でキー入力の案内を有効に活用できる。
実施例６
図２１は本発明の両手で保持し両手の指１０本で文字入力する携帯電話機の超高速文字入力装置の１例である。
この装置は０１本体、０２ディスプレイ、０３アンテナ、０４スピーカ、０５マイクロホン、１４ヒンジ機構、１００ピボット、左側面は１０２−１、１０２−２、１０３−１、１０３−２、１０４−１、１０４−２、１０５−１、１０５−２、１０６−１、１０６−２、１０７−１、１０７−２、１０８−１、１０８−２、１０９−１、１０９−２、１１０−１、１１０−２、１１１−１、１１１−２キーが１０行２列で２０個、右側面は１０１ジョイキーと１１２−１電源キー、１１２−２、１１３−１モードキー、１１３−２文字入力制御権キーの４個と１１４−１、１１４−２、１１５−１、１１５−２、１１６−１、１１６−２、１１７−１、１１７−２、１１８−１、１１８−２、１１９−１、１１９−２、１２０−１、１２０−２キーが７行２列で計１４個、斜線部で示す３８指休憩場所より構成されている。
図２２は図２１の携帯電話機に文字を両手１０本の指で入力中の概観図である。
図２２はまた、両手で保持し両手１０本の指を文字入力手段のホームポジションに配置した概観を示している。この把持方法は手の位置が自然の位置にあるのでユーザーの操作時の疲労度が非常に少ない。
両手入力時は図２１の右側面のユーザーの正面に持って来る。０２ディスプレイは図２１の格納状態より１４ヒンジ機構を中心にして１８０度だけ回転し、１００ピボットを中心に９０度回転させると図２２の状態になる。
図２２は右利きのユーザーを示している。良く動く右手の親指に多くの細かい仕事が要求される１０１ジョイキーと１１４−１と１１４−２のシフト切替キーを操作させるからである。
図２２に示すように、ユーザー正面の１０１ジョイキーと１１４−１、１１４−２キーの２個を右手親指が担当し、ユーザーに対して裏面の１０２−１、１０２−２、１０３−１、１０３−２キーを右手人差し指、１０４−１、１０４−２キーを右手中指、１０５−１、１０５−２キーを右手薬指、１０６−１、１０６−２を右手小指がそれぞれ担当し、ユーザー正面の１１８−１、１１８−２、１１９−１、１１９−２、１２０−１、１２０−２キーの６個を左手親指が担当し、ユーザーに対して裏面の１０７−１、１０７−２、１０８−１、１０８−２キーの４個を左手人差し指、１０９−１、１０９−２を左手中指、１１０−１、１１０−２キーを左手薬指、１１１−１、１１１−２を左手小指がそれぞれ担当する。
右手親指で何のキーも押さない状態で残りの９本の指で２６個のキーを押すとアルファベットの小文字「ａ」から「ｚ」まで２６文字が入力できる。次に右手親指で１１４−２を押した状態で残りの９本の指で２６個のキーを押すとアルファベットの大文字「Ａ」から「Ｚ」まで２６文字が入力できる。
右手親指で１１４−２を押した状態で数字の１，２、・・、９，０の１０個が１０２−２、１０２−１、１０３−２、１０３−１、１０４−２、１０４−１、１０５−２、１０５−１、１０６−２、１０６−１キーを押すことにより入力できる。その他の残りの１６個のキーは「Ｂａｃｋ  Ｓｐａｃｅ］、「ＤＥＬ］、「ＥＮＴ」、「．」、「，」等の英文入力に必要な記号や機能に割り当てることができる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて１０１ジョイキーを繰り返し動かすことにより多数の特殊記号を選択することができる。
本発明により１個のキーの役割が２種類（アルファベットと数字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指は１０１ジョイキーに常駐し「漢字」変換専用に使用できるので超高速の文字入力ができる。
このように本発明は英語でも日本語でもその他のアルファベット２６字又は他の種類の２６文字で変換できる言語なら何語でも応用できるものである。
大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
当然の如く、単に携帯電話機で電話番号を押して電話する場合も、右手の親指で１１４−１を押した状態で図２１に示す１０２−２、１０２−１、１０３−２、１０３−１、１０４−２、１０４−１、１０５−２、１０５−１、１０６−２、１０６−１キーを押すことにより数字１、２、・・、９，０を入力できる。
左利きのユーザーが使用する場合は、図２２の使い方で右手と左手を入れ替えるだけでよい。左手で１０１ジョイキーを操作することになる。
右側面の１０１ジョイキーは０２ディスプレイ上のカーソルを上下左右へ移動することが主な仕事になるが、日本語の漢字入力の場合の「ひらがな」より「漢字」、「カタカナ」への変換等に割り当てることができる。
１１５−１、１１５−２、１１６−１、１１６−２キーは英字と自国語（日本語では「ひらがな」、「カタカナ」、中国では「漢字」、韓国では「ハングル文字」）への切り替え、全角と半角とのモード切替キーとして使用することができる。
よく活動できる親指や人差し指に使用する頻度が多い文字キーを合理的に割り振り、文字入力速度を最高速に上げるのは他の実施例で述べるので、ここでは大文字、小文字、数字・機能・記号キーの３つを大きく分類して入力可能であることを説明するのに留める。
右側面の１１５−１、１１５−２、１１６−１、１１６−２、１１７−１、１１７−２キーは両手使用時で英語入力時は不要のキーである。これらのキーは省略しても良いし、「Ｂａｃｋ  Ｓｐａｃｅ］、「ＤＥＬ］、「ＥＮＴ」、「．」、「，」等に割当てて英文入力速度を上げるのに使用しても良い。
しかし１１５−１、１１５−２、１１６−１、１１６−２キーは日本語では「ひらがな」、「カタカナ」の全角と半角、数字の全角と半角、記号の全角と半角で計７種類があるのでこれをモード切替キーとして使用するとより速く入力できる。
図２１の１１３−２文字入力制御権キーは続けて押すと３通りのモードに切り替えることができるキーである。両手が使える状態では図２２に示す使い方になる。やむを得ず、片手のみしか使えない状態（電車の吊り革に掴まっている状態）等では、１１３−２キーを１回押して右手片手モードに切り替えることができる。更にもう１回押すと左手片手モードに切替えることができる。
図２３は図２１の携帯電話機を本発明の右手片手モードで使用している図である。
図２３はまた、右手で保持し保持した方の片手５本の指を常時文字入力手段のホームポジションに配置した概観を示している。
この使用方法はあくまで非常時の補助的な使い方である。
ここで言う片手モードは左側面キー１０６−１、１０６−２、１０８−１、１０８−２、１０９−１、１０９−２、１１０−１、１１０−２キーの８個、右側面の１０１ジョイキーと１１４−１、１１４−２、１１５−１、１１５−２、１１６−１、１１６−２、１１７−１、１１７−２キーの８個が文字入力権を得て、残りの左側面の１０２−１、１０２−２、１０３−１、１０３−２、１０４−１、１０４−２、１０５−１、１０５−２、１０７−１、１０７−２、１１１−１、１１１−２キーの１２個及び右側面の１１８−１、１１８−２、１１９−１、１１９−２、１２０−１、１２０−２キー６個が全て無効になるモードである。左側面のキーは人差し指、中指、薬指、小指にそれぞれ２個のキーを割り当てているのは、右手で携帯電話機を把持してその状態で入力作業を行う時、図３１に示すようにキーとキーとの間のフレームがキーの高さより高い機構を利用すれば、これらの４本の指には２個のキーを区別して押圧することが可能だからである。右手の親指は細かな区別ができるので多くのキーを割り当てている。片手モードであっても文字入力速度は片手の親指のみを使用するキーの配置よりも控えめに見積っても約４倍に速くなる。
左利きのユーザーは図２１の裏側を正面にして左手で操作する。
操作するキーは右手ユーザーと同一である。図２２に示す状態より０２ディスプレイを図２１の裏側に格納すれば、０２ディスプレイは左利きユーザーの正面に来る。０４スピーカと０５マイクロフォンを裏側に向ける。０２ディスプレイの表示は図２１と図２２では１４ヒンジ機構の角度を検出して上下を逆に切替える。
１１３−２文字入力制御権キーはその機能さえあればよいのであり、ある定められた複数のキーを同時に押すとか、定められたキーを一定時間長く押すことでも代替できるものである。
片手モードの場合の親指の使い方は１１４−１、１１４−２、１１５−１、１１５−２、１１６−１、１１６−２をそれぞれ押す場合の６通り、何も押さないのが１通りで計７通りであり、左側面のキーが８個あるので、７通り掛け８で合計５６文字が入力できる。
片手モードの時だけ１１７−１と１１７−２をモード切替キーとして使用するのに機能を設計すると単純に設計しても４つのモードが作れるから１１２文字、１６８文字、２２４文字と増加していく。一般に数字が混入している英語は８０文字で十分入力できるのでモード切替キーを煩雑に切り替える必要は無い。
もちろん片手モードは日本語その他の国語にも適用できる。
実施例７
図２４は本発明の両手で保持し両手の指１０本で文字入力する携帯電話機の超高速文字入力装置の他の１例である。
この携帯電話機の特徴は左右２個の筐体を連結した携帯電話機であり、本のように左右に折り畳むことができる。ディスプレイが左右に計２面あり、一目で多くの文字情報等を認識できる電子手帳兼携帯電話機として文字を高速に入力できる。
この装置は０１本体が左右に２個、０２ディスプレイが左右に２個、０３アンテナ、０４スピーカが左右に２個、０５マイクロホンが左右に２個、１４ヒンジ機構が上下に２個、１２１バーが４本、１２２バー収納溝が４個、左側の０１本体の左側面に１２３ジョイスティックと１２５−１、１２５−２、１２６−１、１２６−２、１２７−１、１２７−２、１２８−１、１２８−２キーの４行２列で８個、右側面に１２９−１、１２９−２、１３０−１、１３０−２、１３１−１、１３１−２、１３２−１、１３２−２、１３３−１、１３３−２キーの５行２列で１０個、右側の０１本体の左側面に１３４−１、１３４−２、１３５−１、１３５−２、１３６−１、１３６−２、１３７−１、１３７−２、１３８−１、１３８−２キーの５行２列で１０個のキーと右側面に１２４ジョイスティックと１３９−１文字入力制御権キー、１３９−２電源キー、１４０−１、１４０−２、１４１−１、１４１−２、１４２−１、１４２−２キーの４行２列で８個、斜線部で示す３８指休憩場所より構成されている。
図２５は図２４の携帯電話機に文字を両手１０本の指で入力中の概観図である。
図２５はまた、両手で保持し両手１０本の指を文字入力手段のホームポジションに配置した概観を示している。
両手入力時以外は左右の０１本体に左右から圧縮するように力を加え、１２１バーが１２２バー収納溝に押し込まれた後、１４ヒンジ機構により図２４の０２ディスプレイ背面同士が向かい合うように折り畳まれる。２個の０２ディスプレイは外側になる。
折り畳まれた時は通常の電話機として使用することもでき、０２ディスプレイに情報を表示でき、情報の受信発信を両手と比べて制限されたキーの機能で果たすことができる。
図２５は右利きのユーザーであっても良いし左利きのユーザーであっても良い。図２５に示すように、左側の０１本体の左側面の１２３ジョイスティックと１２５−１、１２５−２、１２６−１、１２６−２、１２７−１、１２７−２、１２８−１、１２８−２キーの４行２列で８個を左手親指が担当し、右側面の１２９−１、１２９−２、１３０−１、１３０−２を左手人差し指、１３１−１、１３１−２を左手中指、１３２−１、１３２−２を左手薬指、１３３−１、１３３−２を左手小指が担当し、右側の０１本体の左側面の１３４−１、１３４−２、１３５−１、１３５−２を右手人差し指、１３６−１、１３６−２を右手中指、１３７−１、１３７−２を右手薬指、１３８−１、１３８−２を右手小指が担当し、右側面の１２４ジョイスティックと１３９−１文字入力制御権キー、１３９−２電源キー、１４０−１、１４０−２、１４１−１、１４１−２、１４２−１、１４２−２キーの４行２列で８個を右手親指がそれぞれ担当する。
ここで右利きのユーザーのキーの使い方を説明する。
右手親指で何のキーも押さない状態で残りの９本の指で２６個のキーを押す（左手親指は１２６−１、１２６−２、１２７−１、１２７−２、１２８−１、１２８−２キーの６個を押す）とアルファベットの小文字「ａ」から「ｚ」まで２６文字が入力できる。次に右手親指で１４０−２を押した状態で残りの９本の指で２６個のキーを押すとアルファベットの大文字「Ａ」から「Ｚ」まで２６文字が入力できる。
右手親指で１４０−１を押した状態で数字の１，２、・・、９，０の１０個が１２９−１、１２９−２、１３０−１、１３０−２、１３１−１、１３１−２１、１３２−１、１３２−２、１３３−１、１３３−２キーを押すことにより入力できる。その他の残りの１６個のキーは「Ｂａｃｋ  Ｓｐａｃｅ］、「ＤＥＬ］、「ＥＮＴ」、「．」、「，」等の英文入力に必要な記号や機能に割り当てることができる。右利きモードの場合は１２４ジョイスティックを有効にして１２３ジョイスティックを無効にする。
右利きユーザーの英文入力の場合は１２３ジョイスティックと１４１−１、１４１−２、１４２−１、１４２−２キーは不要なものである。これらのキーは省略しても良いし、「Ｂａｃｋ  Ｓｐａｃｅ］、「ＤＥＬ］、「ＥＮＴ」、「．」、「，」等に割当てて英文入力速度を上げるのに使用しても良い。
両手の指１０本を使用した別の文字入力方法を述べる。
１２６−１、１２７−１キーを左手親指でシフトキーとして使い、１４０−２、１４１−２キーを右手親指でシフトキーとして使い、残りの８本の指で２０個のキーを文字キーとして使う方法がある。両手の親指で何も押さない場合を含めてシフトモードは５通りある。従って５通り掛け２０文字で１００文字を入力できる。シフトキーの数を６個に増加すると１４０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
左利きのユーザーの場合は１３９−１文字入力制御権キーでモードを切替えて１２３ジョイスティックを有効にして１２６−１と１２６−２キーをアルファベット大文字と小文字と数字・記号・機能を切替えるシフトキーとして使うモードにする。
その代わり、１２４ジョイスティックが無効になり、１２６−１、１２６−２、１２７−１、１２７−２、１２８−１、１２８−２の代わりに１４０−１、１４０−２、１４１−１、１４１−２、１４３−１、１４３−２キーがアルファベットの文字を入力するキーとなる。
このようにフトウエアを予め設計しておけばキーで選択することにより左利きでも右利きユーザーでも一種類の携帯電話機で兼用することができる。
図２４は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図２５は図２４の携帯電話機において、モード切替キーと親指が選択したキーの状態に対応した入力文字を案内するために、携帯電話機のディスプレイに親指が選択したキーに対応する入力文字を表示している。例えば図２５のように表示された状態で左側本体の左側面の１２６−１キーを押すとディスプレイの左側の一番上の文字「Ｋ」を入力できる。親指が別のキーを選択するとそれに応じてディスプレイに表示される文字内容も変わる。携帯電話機の小さいディスプレイの中でキー入力の案内を有効に活用できる。
実施例８
図２６は本発明の両手で保持し両手の指１０本で文字入力する携帯電話機の超高速文字入力装置の１例である。
この装置は０１本体、０２ディスプレイ、０３アンテナ、０４スピーカ、０５マイクロホン、１４ヒンジ機構、左側面は１４４−１、１４４−２、１４５−１、１４５−２、１４６−１、１４６−２、１４７−１、１４７−２、１４８−１、１４８−２、１４９−１、１４９−２、１５０−１、１５０−２、１５１−１、１５１−２、１５２−１、１５２−２、１５３−１、１５３−２キーが１０行２列で２０個、右側面は１４３ジョイキーと１５４−１電源キー、１５４−２、１５５−１、１５５−２モードキーの４個と１５６−１、１５６−２、１５７−１、１５７−２、１５８−１、１５８−２、１５９−１、１５９−２、１６０−１、１６０−２、１６１−１、１６１−２、１６２−１、１６２−２キーが７行２列で計１４個、斜線部で示す３８指休憩場所より構成されている。
図２７は図２６の携帯電話機に文字を両手１０本の指で入力中の概観図である。
図２７はまた、両手で把持し両手１０本の指を文字入力手段のホームポジションに配置した概観を示している。この把持方法は手の位置が自然の位置にあるのでユーザーの操作時の疲労度が非常に少ない。
両手入力時は図２６の右側面をユーザーの正面に持って来る。０２ディスプレイは図２６の格納状態より１４ヒンジ機構を中心にして９０度回転させると図２７の状態になる。
図２７は右利きのユーザーを示している。良く動く右手の親指に多くの細かい仕事が要求される１４３ジョイキーと１５６−１と１５６−２のシフト切替キーを操作させるからである。
図２７に示すように、ユーザー正面の１４３ジョイキーと１５６−１、１５６−２キーの２個を右手の親指が担当し、ユーザーに対して裏面の１４４−１、１４４−２、１４５−１、１４５−２キーを右手人差し指、１４６−１、１４６−２キーを右手中指、１４７−１、１４７−２キーを右手薬指、１４８−１、１４８−２を右手小指がそれぞれ担当し、ユーザー正面の１６０−１、１６０−２、１６１−１、１６１−２、１６２−１、１６２−２キーの６個を左手の親指が担当し、ユーザーに対して裏面の１４９−１、１４９−２、１５０−１、１５０−２キーの４個を左手人差し指、１５１−１、１５１−２を左手中指、１５２−１、１５２−２キーを左手薬指、１５３−１、１５３−２を左手小指がそれぞれ担当する。
右手親指で何のキーも押さない状態で残りの９本の指で２６個のキーを押すとアルファベットの小文字「ａ」から「ｚ」まで２６文字が入力できる。次に右手親指で１５６−２を押した状態で残りの９本の指で２６個のキーを押すとアルファベットの大文字「Ａ」から「Ｚ」まで２６文字が入力できる。
右手親指で１５６−１を押した状態で数字の１，２、・・、９，０の１０個が１４４−２、１４４−１、１４５−２、１４５−１、１４６−２、１４６−１、１４７−２、１４７−１、１４８−２、１４８−１キーを押すことにより入力できる。その他の残りの１６個のキーは「Ｂａｃｋ  Ｓｐａｃｅ］、「ＤＥＬ］、「ＥＮＴ」、「．」、「，」等の英文入力に必要な記号や機能に割り当てることができる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて１４３ジョイキーを繰り返し動かすことにより多数の特殊記号を選択することができる。
本発明により１個のキーの役割が２種類（アルファベットと数字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
このように本発明は英語でも日本語でもその他のアルファベット２６字又は他の種類の２６字で変換できる言語なら何語でも応用できるものである。
大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
当然の如く、単に携帯電話機で電話番号を押して電話する場合も、右手の親指で１５６−１を押した状態で図２６に示すように他のキーを押すことにより数字１、２、・・、９、０を入力できる。
右側面の１４３ジョイキーは０２ディスプレイ上のカーソルを上下左右へ移動することが主な仕事になるが、日本語の漢字入力の場合の「ひらがな」より「漢字」、「カタカナ」への変換等に割り当てることができる。
１５７−１、１５７−２、１５８−１、１５８−２キーは英字と自国語（日本語では「ひらがな」、「カタカナ」、中国では「漢字」、韓国では「ハングル文字」）への切り替え、全角と半角とのモード切替キーとして使用することができる。
よく活動できる親指や人差し指に使用する頻度が多い文字キーを合理的に割り振り、文字入力速度を最高速に上げるのは他の実施例で述べるので、ここでは大文字、小文字、数字・機能・記号キーの３つを大きく分類して入力可能であることを説明するのに留める。
右側面の１５７−１、１５７−２、１５８−１、１５８−２、１５９−１、１５９−２キーは両手使用時で英語入力時は不要のキーである。これらのキーは省略しても良いし、「Ｂａｃｋ  Ｓｐａｃｅ］、「ＤＥＬ］、「ＥＮＴ」、「．」、「，」等に割当てて英文入力速度を上げるのに使用しても良い。
しかし１５７−１、１５７−２、１５８−１、１５８−２、１５９−１、１５９−２キーは日本語では「ひらがな」、「カタカナ」の全角と半角、数字の全角と半角、記号の全角と半角で計７種類があるのでこれをモード切替キーとして使用するとより速く入力できる。
両手の指１０本を使用した別の文字入力方法を述べる。
１６０−１、１６１−１キーを左手親指でシフトキーとして使い、１５６−２、１５７−２キーを右手親指でシフトキーとして使い、残りの８本の指で２０個のキーを文字キーとして使う方法がある。両手の親指で何も押さない場合を含めてシフトモードは５通りある。従って５通り掛け２０文字で１００文字を入力できる。シフトキーの数を６個に増加すると１４０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
実施例９
図２８は本発明の両手で把持し、上下２個の筐体をピボットで連結した携帯電話機で、文字入力時のみ上側の筐体と下側の筐体との間を定められた１個又は数個の角度の捻り状態で固定して、文字入力時の両手の疲労を少なくする手の位置で文字入力可能にした携帯電話機の超高速文字入力装置の１例である。
この装置は０１−１上部本体、０１−２下部本体、０２ディスプレイ、０３アンテナ、０４スピーカ、０５マイクロホン、１４ヒンジ機構、１８０ピボット、左側面は１８１−１、１８１−２、１８２−１、１８２−２、１８３−１、１８３−２、１８４−１、１８４−２、１８５−１、１８５−２、１８６−１、１８６−２、１８７−１、１８７−２、１８８−１、１８８−２、１８９−１、１８９−２キーが９行２列で計１８個、右側面は１７９ジョイキーと１９０−１通話キー、１９０−２電源キー、１９１−１モードキー、１９１−２モードキー、１９２−１、１９２−２、１９３−１、１９３−２、１９４−１、１９４−２、１９５−１、１９５−２、１９６−１、１９６−２、１９７−１、１９７−２、１９８−１、１９８−２、１９９−１、１９９−２キーが１０行２列で計２０個、斜線部で示す３８指休憩場所より構成されている。
図２９は図２８の携帯電話機を１８０ピボットを中心にして０１−１上部本体を図の下部から見て反時計方向に４５度回転し、０１−２下部本体を図の下部から見て時計方向に４５度回転したものである。
０１−１上部本体を同じ方向に約８０度回転し、０１−２下部本体を同じ方向に約８０度回転したものを操作するのが手の疲労が少ない。ある特定の角度で固定できるようになっている。
０２ディスプレイは１４ヒンジ機構を中心に０１−１上部本体の回転角度と同じ角度だけ反対方向に回転できるようになっており常にユーザーの正面を向くように調節できる。
図２９は図２８の携帯電話機に文字を両手１０本の指で入力中の概観図である。
図２９はまた、両手で保持し両手１０本の指を文字入力手段のホームポジションに配置した概観を示している。
この図は右利きのユーザーを示している。
図２９に示すように、右側面の１７９ジョイキーと１９０−１、１９０−２、１９１−１、１９１−２、１９２−１、１９２−２、１９３−１、１９３−２、１９４−１、１９４−２キーの１０個を右手親指が担当し、左側面の１８１−１、１８１−２、１８２−１、１８２−２キー４個を右手人差し指、１８３−１、１８３−２キーを右手中指、１８４−１、１８４−２キーを右手薬指、１８５−１、１８５−２キーを右手小指がそれぞれ担当する。
左側面の１８６−１、１８６−２、１８７−１、１８７−２、１８８−１、１８８−２、１８９−１、１８９−２キーの８個を左手親指が担当し、右側面の１９５−１、１９５−２、１９６−１、１９６−２キーの４個を左手人差し指が担当し、１９７−１、１９７−２キーを左手中指、１９８−１、１９８−２キーを左手薬指、１９９−１、１９９−２キーを左手小指がそれぞれ担当する。
右手親指で何のキーも押さない状態で残りの９本の指で１８１、１８２、１８３、１８４、１８５、１８６、１８７、１８８、１９５、１９６、１９７、１９８、１９９の１３行２列の２６個のキーを押すとアルファベットの小文字「ａ」から「ｚ」まで２６文字が入力できる。次に右手親指で１９１−２を押した状態で残りの９本の指で２６個のキーを押すとアルファベットの大文字「Ａ」から「Ｚ」まで２６文字が入力できる。
右手親指で１９２−１を押した状態で数字の１，２、・・、９，０の１０個が１８１−２、１８１−１、１８２−２、１８２−１、１８３−２、１８３−１、１８４−２、１８４−１、１８５−２、１８５−１キーを押すことにより入力できる。その他残りの１６個のキーは「Ｂａｃｋ  Ｓｐａｃｅ］、「ＤＥＬ］、「ＥＮＴ」、「．」、「，」等の英文入力に必要な記号や機能に割り当てることができる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて１７９ジョイキーを繰り返し動かすことにより多数の特殊記号を選択することができる。
本発明により１個のキーの役割が２種類（アルファベットと数字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの７文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指は１７９ジョイキーに常駐し「漢字」変換専用に使用できるので超高速の文字入力ができる。
このように本発明は英語でも日本語でもその他のアルファベット２６字又は他の種類の２６文字で変換できる言語なら何語でも応用できるものである。
右側面の１７９ジョイキーは０２ディスプレイ上のカーソルを上下左右へ移動することが主な仕事になるが、日本語の漢字入力の場合の「ひらがな」より「漢字」、「カタカナ」への変換等に割り当てることができる。
１９３−１、１９３−２、１９４−１、１９４−２キーは英字と自国語（日本語では「ひらがな」、「カタカナ」、中国では「漢字」、韓国では「ハングル文字」）への切り替え、全角と半角とのモード切替キーとして使用することができる。
よく活動できる親指や人差し指に使用する頻度が多い文字キーを合理的に割り振り、文字入力速度を最高速に上げるのは他の実施例で述べるので、ここでは大文字、小文字、数字・機能・記号キーの３つを大きく分類して入力可能であることを説明するのに留める。
左側面の１８９−１、１８９−２キーは言語によっては２８字がシフトキーの切替無しで入力できれば非常に便利な言語のために使用すると便利である。
またやむを得ず、片手のみしか使えない状態（電車の吊り革に掴まっている状態）等では、図２８に示す状態で右手のみで文字を入力することもできる。
その場合、１８９−１、１８９−２キーを使用するが、その詳しい使用方法は実施例５と同じであるからここでは省略する。
制限された使い方になるが親指１本より能率的である。
実施例１０
図３６は本発明の両手で保持し両手の指１０本で文字入力する携帯電話機の超高速文字入力装置の１例である。
この装置は０１本体、０２ディスプレイ、０３アンテナ、０４スピーカ、０５マイクロホン、左側面は２１６−１、２１６−２、２１６−３のように１行で３列のキーがあり、２１７、２１８、２１９、２２０、２２１、２２２、２２３、２２４もそれぞれ３列あり、計９行３列で２７個のキー、右側面は２１５ジョイキーと２２５、２２６、２２７、２２８、２２９、２３０、２３１、２３２キーが８行３列で計２４個、指を置く２３３フレームより構成されている。
図３７は図３６の携帯電話機に文字を両手１０本の指で入力中の概観図である。
図３７はまた、両手で保持し両手１０本の指を文字入力手段のホームポジションに配置した概観を示している。
図３７に示すように、右側面の２１５ジョイキーと２２５、２２６、２２７キーの３行３列９個を右手の親指が担当し、左側面の２１６、２１７キー２行３列６個を右手人差し指、２１８キーの３個を右手中指、２１９キーの３個を右手薬指、２２０キーの３個を右手小指がそれぞれ担当する。
左側面の２２１、２２２、２２３、２２４キーの４行３列１２個を左手親指が担当し、右側面の２２８、２２９キーの２行３列６個を左手人差し指が担当し、２３０キーの３個を左手中指、２３１キーの３個を左手薬指、２３２キーの３個を左手小指がそれぞれ担当する。
右手親指で何のキーも押さない状態で残りの９本の指で２２４キーの３個を除く３９個のキーを押すとアルファベットの小文字「ａ」から「ｚ」まで２６文字と数字１０文字と３個の他の記号とが入力できる。次に右手親指で２２５−２キーを押した状態で残りの９本の指で３９個のキーを押すとアルファベットの大文字「Ａ」から「Ｚ」まで２６文字と１３個の他の記号が入力できる。
右手親指で２２５−１キーを押した状態で残りの９本の指で約３９個のキーを押すと、さらに約３９文字を入力できる。
ここで約３９個のキーという表現を用いているのは、担当するキーの数が多い人差し指で押圧し難い位置にあるキー（例えば２１６−３、２２８−３キー）、動き難い小指のキーで押圧し難い位置にあるキー（例えば２２４−３、２３２−３キー）を省いてキーの数を減少して、他のキーで文字を代替しても差し支えが無いということである。そういう意味でキーの数は基本的に３列であれば約４個程度増減しても本発明の範ちゅうに属する。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて２１５ジョイキーを繰り返し動かすことにより多数の特殊記号を選択することができる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの２０文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
このように本発明は英語でも日本語でもその他の言語でも約３９文字で変換できる言語なら何語でも応用できるものである。
右側面の２１５ジョイキーは０２ディスプレイ上のカーソルを上下左右へ移動することが主な仕事になるが、日本語の漢字入力の場合の「ひらがな」より「漢字」、「カタカナ」への変換キーとしても使用することができる。
２１５ジョイキーでモードを切り替えることにより自国語入力モードにし、２２５キー３個を自国語（日本語では「ひらがな」、「カタカナ」、中国では「漢字」、韓国では「ハングル文字」）のシフトキー、２２６キー３個を英語のシフトキーとして使用することができる。そうすると自国語の入力中にモードの切り替え無しでシフトキーの操作のみで英語も挿入できる。
さらに自国入力モードで、２２５−１、２２５−２キーをシフトキーとして使用することによりキー約３９個を使用して日本語５１音もローマ字入力を使用しないで直接入力できる。
このように本発明は英語でも日本語でもその他のアルファベット２６字はもちろん他の約３９字で変換できる言語なら何語でも応用できるものである。
アルファベットの場合、大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
当然の如く、単に携帯電話機で片手で電話番号を押して電話する場合も、右手の親指で２２５−１を押した状態で図４４に示すように２１６、２１７、２１８、２１９、２２０の１列目と２列目のキーを押すことにより数字１、２、・・、９，０を入力することもできる。
よく活動できる親指や人差し指に使用する頻度が多い文字キーを合理的に割り振り、文字入力速度を最高速に上げるのは他の実施例で述べるので、ここでは大文字・記号、小文字・数字・機能・記号キーの２つを大きく分類して入力可能であることを説明するのに留める。
左側面の２２４キーの３個は片手モードの時のみ使うように右手の小指が接触する最適の位置に設けられているのである。
両手使用時に２２４キーの３個に文字を割当てることにより、４２文字で表現される言語にも適用できる。
右側面の２２５−３、２２６、２２７キーの７個は両手使用時で英語入力時は不要のキーである。これらのキーは省略しても良いし、「Ｓｐａｃｅ」、「Ｂａｃｋ  Ｓｐｅｃｅ」、「ＤＥＬ」、「ＥＮＴ」、「．」、「，」等に割当てて英文入力速度を上げるのに使用しても良い。
両手の指１０本を使用した別の文字入力方法を述べる。
２２２−２キーを左手親指でシフトキーとして使い、２２５−２キーを右手親指でシフトキーとして使い、残りの８本の指で３０個のキーを文字キーとして使う方法がある。両手の親指で何も押さない場合を含めてシフトモードは３通りある。従って３通り掛け３０文字で９０文字を入力できる。シフトキーの数を４個に増加すると１５０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
両手が使える状態では図３７に示す使い方になる。やむを得ず、片手のみしか使えない状態（電車の吊り革に掴まっている状態）等では、たとえば２２７−３キーを１回押して片手モードに切り替えることができる。更にもう１回押すと両手のモードに切り替わる。代わりに２１５ジョイキーでモードを切り替えることもできる。
図３８は図３６の携帯電話機を本発明の右手片手モードで使用している図である。
図３８はまた、右手で保持し保持した方の片手５本の指を常時文字入力手段のホームポジションに配置した概観を示している。
ここで言う片手モードというのは左側面キーは２２０、２２１、２２３、２２４キーの４行３列１２個、右側面の２１５ジョイキーと２２５−１、２２５−２、２２６−１、２２６−２、２２７−１、２２７−２キーの６個が文字入力制御権を得て、残りの左側面の２１６、２１７、２１８、２１９、２２２キーの５行３列１５個及び右側面の２２５−３，２２６−３、２２７−３、２２８、２２９、２３０、２３１、２３２キーの１８個が全て無効になるモードである。
左側面のキーは人差し指、中指、薬指、小指にそれぞれ３個のキーを割り当てているのは、右手で携帯電話機を把持してその状態で入力作業を行う時、図３６のＸ−Ｘ断面に示すようにキーとキーとの間のフレームがキーの高さより高い機構を利用すれば、これらの４本の指には３個のキーを区別して押圧することが可能だからである。右手の親指は細かな区別ができるので多くのキーを割り当てている。片手モードであっても文字入力速度は片手の親指のみを使用するキーの配置よりも控えめに見積っても約４倍に速くなる。
片手モードの場合は右側面の右手の親指の使い方は計６個のキーをそれぞれ押すと６通り、何も押さないのが１通りで計７通りである。左側面のキーが１２個あるので、７通り掛け１２で合計８４文字が入力できる。
一般に数字が混入している英語は８０文字で十分入力できるのでモード切替キーを設ける必要性は余り無い。
図３６は携帯電話機において、キーに対応した入力文字を案内するために、携帯電話機の本体正面に、キーに対応する入力文字を常時印字表示したものである。本発明の携帯電話機や小型ＰＤＡ機器の文字入力時に便利である。
図３７と図３８は図３６の携帯電話機において、モード切替キーと親指が選択したキーの状態に対応した入力文字を案内するために、携帯電話機のディスプレイに親指が選択したキーに対応する入力文字を表示している。例えば図３７のように表示された状態で左側面の一番上の２１６−１キーを押すとディスプレイの一番上の左側の文字「Ｇ」を入力できる。親指が別のキーを選択するとそれに応じてディスプレイに表示される文字内容も変わる。図３８に示す携帯電話機の例は片手モードで左側面のキーの数が１２個であるから、ディスプレイには１２個の文字が表示される。携帯電話機の小さいディスプレイの中でキー入力の案内を有効に活用できる。
実施例１１
図３９は本発明の両手で把持し両手の指１０本で文字入力する携帯電話機の超高速文字入力装置の１例である。
この装置は０１本体、０２ディスプレイ、０３アンテナ、０４スピーカ、０５マイクロホン、１４ヒンジ機構、左側面は２４１−１、２４１−２、２４１−３のように１行で３列のキーがあり、２４２、２４３、２４４、２４５、２４６、２４７、２４８、２４９、２５０もそれぞれ３列あり、計１０行３列で３０個のキー、右側面は２４０ジョイキーと２５１、２５２、２５３、２５４、２５５、２５６キーが６行３列で計１８個、指を置く２３３フレームより構成されている。
図４０は図３９の携帯電話機に文字を両手１０本の指で入力中の概観図である。
図４０はまた、両手で把持し両手１０本の指を文字入力手段のホームポジションに配置した概観を示している。この把持方法は手の位置が自然の位置にあるのでユーザーの操作時の疲労度が非常に少ない。
両手入力時は図３９の右側面をユーザーの正面に持って来る。０２ディスプレイは図３９の格納状態より１４ヒンジ機構を中心にして９０度回転させると図４０の状態になる。
図４０は右利きのユーザーに便利である構造の携帯電話機の使用中の外観を示している。良く動く右手の親指に多くの細かい仕事が要求される２４０ジョイキーと２５１−２、と２５１−１のシフトキーを操作させるからである。しかし、左利きのユーザーも十分使用することができる。
図４０に示すように、ユーザー正面の２４０ジョイキーと２５１、２５２、２５３キーの３行３列で計９個を右手の親指が担当し、ユーザーに対して裏面の２４１、２４２キーの６個を右手人差し指、２４３キー３個を右手中指、２４４キー３個を右手薬指、２４５キー３個を右手小指がそれぞれ担当し、ユーザー正面の２４５、２５５、２５６キーの９個を左手の親指が担当し、ユーザーに対して裏面の２４６、２４７キーの６個を左手人差し指、２４８キー３個を左手中指、２４９キー３個を左手薬指、２５０キー３個を左手小指がそれぞれ担当する。
右手親指で何のキーも押さない状態で残りの９本の指で３９個のキーを押すとアルファベットの小文字「ａ」から「ｚ」まで２６文字と数字１０文字と３個の他の記号とが入力できる。次に右手親指で２５１−２キーを押した状態で残りの９本の指で３９個のキーを押すとアルファベットの大文字「Ａ」から「Ｚ」まで２６文字と１３個の他の記号が入力できる。
右手親指で２５１−１キーを押した状態で残りの９本の指で３９個のキーを押すと、さらに３９文字を入力できる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて２４０ジョイキーを繰り返し動かすことにより多数の特殊記号を選択することができる。
大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
本発明により１個のキーの役割が２種類（アルファベット小文字・数字・記号とアルファベット大文字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの２０文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
このように本発明は英語でも日本語でもその他の言語でも約３９文字で変換できる言語なら何語でも応用できるものである。
右側面の２４０ジョイキーは０２ディスプレイ上のカーソルを上下左右へ移動することが主な仕事になるが、日本語の漢字入力の場合の「ひらがな」より「漢字」、「カタカナ」への変換キーとしても使用することができる。
２４０ジョイキーでモードを切り替えることにより自国語入力モードにし、２５１キー３個を自国語（日本語では「ひらがな」、「カタカナ」、中国では「漢字」、韓国では「ハングル文字」）のシフトキー、２５２キー３個を英語のシフトキーとして使用することができる。そうすると自国語の入力中にモードの切り替え無しでシフトキーの操作のみで英語も挿入できる。
右側面の２５１−３、２５２、２５３キーの７個は両手使用時で英語入力時は不要のキーである。これらのキーは省略しても良いし、「Ｓｐａｃｅ」、「Ｂａｃｋ  Ｓｐａｃｅ」、「ＤＥＬ」、「ＥＮＴ」、「．」、「，」等に割当てて英文入力速度を上げるのに使用しても良い。
よく活動できる親指や人差し指に使用する頻度が多い文字キーを合理的に割り振り、文字入力速度を最高速に上げるのは他の実施例で述べるので、ここでは大文字・記号、小文字・数字・機能・記号キーの２つを大きく分類して入力可能であることを説明するの留める。
両手の指１０本を使用した別の文字入力方法を述べる。
２５５−２キーを左手親指でシフトキーとして使い、２５１−２キーを右手親指でシフトキーとして使い、残りの８本の指で３０個のキーを文字キーとして使う方法がある。両手の親指で何も押さない場合を含めてシフトモードは３通りである。従って３通り掛け３０文字で９０文字を入力できる。シフトキーの数を４個に増加すると１５０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
両手が使える状態では図４０に示す使い方になる。やむを得ず、片手のみしか使えない状態（電車の吊り革に掴まっている状態）等では、たとえば２５３−３キーを１回押して片手モードに切り替えることができる。更にもう１回押すと両手のモードに切り替わる。代わりに２４０ジョイキーでモードを切り替えることもできる。
図４１は図３９の携帯電話機を本発明の右手片手モードで使用している図である。
図４１はまた、右手で保持し保持した方の片手５本の指を常時文字入力手段のホームポジションに配置した概観を示している。
ここで言う片手モードというのは左側面キーは２４５、２４６、２４８、２４９キーの４行３列で１２個、右側面の２４０ジョイキーと２５１−１、２５１−２、２５２−１、２５２−２、２５３−１、２５３−２キーの６個が文字入力制御権を得て、残りの左側面の２４１、２４２、２４３、２４４、２４７、２５０キーの６行３列１８個及び右側面の２５１−３、２５２−３、２５３−３、２５４、２５５、２５６キーの１２個が全て無効になるモードである。
左側面のキーは人差し指、中指、薬指、小指にそれぞれ３個のキーを割り当てているのは、右手で携帯電話機を把持してその状態で入力作業を行う時、図３９のＸ−Ｘ断面に示すようにキーとキーとの間のフレームがキーの高さより高い機構を利用すれば、これらの４本の指には３個のキーを区別して押圧することが可能だからである。右手の親指は細かな区別ができるので多くのキーを割り当てている。片手モードであっても文字入力速度は片手の親指のみを使用するキーの配置よりも控えめに見積っても約４倍に速くなる。
片手モードの場合は右側面の右手の親指の使い方は計６個のキーをそれぞれ押すと６通り、何も押さないのが１通りで計７通りであり、左側面のキーが１２個あるので、７通り掛け１２で合計８４文字が入力できる。
一般に数字が混入している英語は７２文字で十分入力できるのでモード切替キーの必要性は余り無い。片手モードの時だけ使われていない２５１−３等をモード切替キーに指定すると入力文字数は簡単に増加させることができる。
図３９は携帯電話機において、キーに対応した入力文字を案内するために、携帯電話機の本体正面に、キーに対応する入力文字を常時印字表示したものである。本発明の携帯電話機や小型のＰＤＡ機器の文字入力時に便利である。
図４０と図４１は図３９の携帯電話機において、モード切替キーと親指が選択したキーの状態に対応した入力文字を案内するために、携帯電話機のディスプレイに親指が選択したキーに対応する入力文字を表示している。例えば図４０のように表示された状態で左側面の一番上の２４１−１キーを押すとディスプレイの一番上の右側の文字「Ｇ」を入力できる。親指が別のキーを選択するとそれに応じてディスプレイに表示される文字内容も変わる。図４１に示す携帯電話機の例は片手モードで左側面のキーの数が１２個であるから、ディスプレイには１２個の文字が表示される。携帯電話機の小さいディスプレイの中でキー入力の案内を有効に活用できる。
実施例１２
図４２は本発明の両手で保持し両手の指１０本で文字入力する携帯電話機の超高速文字入力装置の他の１例である。
この携帯電話機の特徴は左右２個の筐体を連結した携帯電話機であり、本のように左右に折り畳むことができる。ディスプレイが左右に計２面あり、一目で多くの文字情報等を認識できる電子手帳兼携帯電話機として文字を高速に入力できる。
この装置は０１本体が左右に２個、０２ディスプレイが左右に２個、０３アンテナ、０４スピーカー、０５マイクロホン、１４ヒンジ機構が上下に２個、１２１バーが４本、１２２バー収納溝が４個、左側の０１本体の左側面に２６１、２６２、２６３キーの３行３列で９個、右側面に２６４、２６５、２６６、２６７、２６８キーの５行３列で１５個、右側の０１本体の左側面に２６９、２７０、２７１、２７２、２７３キーの５行３列で１５個のキーと右側面に２６０ジョイキーと２７４、２７５、２７６キーの３行３列で９個、指を置く２３３フレームより構成されている。
図４３は図４２の携帯電話機に文字を両手１０本の指で入力中の概観図である。
図４３はまた、両手で保持し両手１０本の指を文字入力手段のホームポジションに配置した概観を示している。
両手入力時以外は左右の０１本体に左右から圧縮するように力を加え、１２１バーが１２２バー収納溝に押し込まれた後、１４ヒンジ機構により図４２の０２ディスプレイ背面同士が向かい合うように折り畳まれる。２個の０２ディスプレイは外側になる。
折り畳まれた時は通常の電話機として使用することもでき、０２ディスプレイに情報を表示でき、片手で情報の受信発信を両手と比べて制限されたキーの機能で果たすことができる。
図４３は右利きのユーザーに便利である構造の携帯電話機の使用中の外観を示している。良く動く右手の親指に多くの細かい仕事が要求される２６０ジョイキーと２７４−２と２７４−１のシフトキーを操作させるからである。しかし、左利きのユーザーでも十分使用できる。
図４３に示すように、左側の０１本体の左側面の２６１、２６２、２６３キーの３行３列で９個を左手親指が担当し、右側面の２６４、２６５キーの２行３列で６個を左手人差し指、２６６キーの３個を左手中指、２６７キーの３個を左手薬指、２６８キーの３個を左手小指が担当し、右側の０１本体の左側面の２６９、２７０キー２行３列で６個を右手人差し指、２７１キーの３個を右手中指、２７２キーの３個を右手薬指、２７３キーの３個を右手小指が担当し、右側面の２６０ジョイキーと２７４、２７５、２７６キーの３行３列で９個を右手親指がそれぞれ担当する。
右手親指で何のキーも押さない状態で残りの９本の指で３９個のキーを押すとアルファベットの小文字「ａ」から「ｚ」まで２６文字と数字１０文字と３個の他の記号とが入力できる。次に右手親指で２７４−２キーを押した状態で残りの９本の指で３９個のキーを押すとアルファベットの大文字「Ａ」から「Ｚ」まで２６文字と１３個の他の記号が入力できる。
右手親指で２７４−１キーを押した状態で残りの９本の指で３９個のキーを押すと、さらに３９文字を入力できる。
この内の１文字は必ずしも文字に固定されるものではない。「スペース」キーとしても、「ＤＥＬＥＴＥ」キーのような機能キーに割り当ててもよい。この内の１文字分を特殊記号の集合の代表キーに指定すると特定の１文字分を入力し、次に引き続いて２６０ジョイキーを繰り返し動かすことにより多数の特殊記号を選択することができる。
大文字と小文字のキーが同一キーであるので非常に指が学習し易く、ブラインドタッチを携帯電話で実行するのに最短の時間で学習できる。
本発明を利用すると、文字入力速度は片手の親指のみを使用するキーの配置よりも約２０倍に速くなる。
本発明により１個のキーの役割が２種類（アルファベット小文字・数字・記号とアルファベット大文字・記号・機能）に限定できるのでブラインドタッチが極端に易しくなる。
右側面の右手親指が担当するキーの切替無しでアルファベット２６字が入力できるという特徴は、日本語をローマ字入力方法で入力する際にさらに革命的利点が生じる。それは日本語のローマ字入力方法ではアルファベットの「Ｃ」、「Ｆ」、「Ｊ」、「Ｌ」、「Ｑ」、「Ｖ」、「Ｘ」の７文字は使用しないのでアルファベット１９文字で日本語の「かな文字」が入力できるので、残りの２０文字を日本語でよく使う「、」、「。」、「ＲＥＴ」、「ＤＥＬ」、「スペース」、「ＢａｃｋＳｐａｃｅ」や特殊文字の集合キー等に割り振ることができる。そうするとモード切替キーを押さない状態で続けて全部の「ひらがな」を連続して入力でき、右手親指はジョイキーに常駐し「漢字」変換専用に使用できるので超高速の文字入力ができる。
このように本発明は英語でも日本語でもその他の言語でも約３９文字で変換できる言語なら何語でも応用できるものである。
右側面の２６０ジョイキーは０２ディスプレイ上のカーソルを上下左右へ移動することが主な仕事になるが、日本語の漢字入力の場合の「ひらがな」より「漢字」、「カタカナ」への変換キーとしても使用することができる。
２６０ジョイキーでモードを切り替えることにより自国語入力モードにし、２７４キー３個を自国語（日本語では「ひらがな」、「カタカナ」、中国では「漢字」、韓国では「ハングル文字」）のシフトキー、２７５キー３個を英語のシフトキーとして使用することができる。そうすると自国語の入力中にモードの切り替え無しでシフトキーの操作のみで英語も挿入できる。
右側面の２７４−３、２７５、２７６キーの７個は両手使用時で英語入力時は不要のキーである。これらのキーは省略しても良いし、「Ｓｐａｃｅ」、「Ｂａｃｋ  Ｓｐａｃｅ」、「ＤＥＬ」、「ＥＮＴ」、「．」、「，」等に割当てて英文入力速度を上げるのに使用しても良い。
よく活動できる親指や人差し指に使用する頻度が多い文字キーを合理的に割り振り、文字入力速度を最高速に上げるのは他の実施例で述べるので、ここでは大文字・記号、小文字・数字・機能・記号キーの２つを大きく分類して入力可能であることを説明するのに留める。
両手の指１０本を使用した別の文字入力方法を述べる。
２６２−２キーを左手親指でシフトキーとして使い、２７４−２キーを右手親指でシフトキーとして使い、残りの８本の指で３０個のキーを文字キーとして使う方法がある。両手の親指で何も押さない場合を含めてシフトモードは３通りある。従って３通り掛け３０文字で９０文字を入力できる。シフトキーの数を４個に増加すると１５０文字を入力できる。
シフトキーのいずれか１個を押した状態で両手の他の残りの指８本のうちのいずれか１本の１回の押圧動作で入力する方法と、シフトキーのいずれか１個と両手の他の残りの指８本のうちのいずれか１本との１回の同時押圧動作で入力する方法がある。キー押圧速度の速い熟練者は同時押圧動作で入力するとより速くなる特徴がある。
両手が使える状態では図４０に示す使い方になる。やむを得ず、片手のみしか使えない状態（電車の吊り革に掴まっている状態）等では、前に述べたように折り畳んで片手モードで使用する。
片手モードの時使用するキーは実施例１１とほぼ同じである。２６９、２７１、２７２、２７３、２７４−１、２７４−２、２７５−１、２７５−２、２７６−１、２７６−２の１８個を使用する。
左利きのユーザー用のキーの構造を持つ携帯電話機を作ることもできる。
図４２において、２６０ジョイキーをＤ面よりＡ面の側面に移すことにより実現できる。２６１、２６２、２６３キー９個の代わりに２７４、２７５、２７６キー９個が文字を入力するキーとなる。２６０ジョイキーを初めからＤ面とＡ面にそれぞれ１個づつ設けて、ソフトウエアを予め設計しておけば、キーで選択することにより左利きでも右利きユーザーでも一種類の携帯電話機で兼用することができる。
図４２は携帯電話機において、キーに対応した入力文字を案内するために、携帯電話機の本体正面に、キーに対応する入力文字を常時印字表示したものである。本発明の携帯電話機や小型のＰＤＡ機器の文字入力時に便利である。
図４３は図４２の携帯電話機において、モード切替キーと親指が選択したキーの状態に対応した入力文字を案内するために、携帯電話機のディスプレイに親指が選択したキーに対応する入力文字を表示している。例えば図４３のように表示された状態で左側面の一番上の２６１−１キーを押すとディスプレイの一番上の左側の文字「Ｋ」を入力できる。親指が別のキーを選択するとそれに応じてディスプレイに表示される文字内容も変わる。携帯電話機の小さいディスプレイの中でキー入力の案内を有効に活用できる。
実施例１３
図３０と図３１の断面Ｘ−Ｘに示しているのは隣り合ったキーに入力誤り無く文字を入力できるように工夫した発明である。断面Ｘ−Ｘは２０１指、２０２フレーム、２０３キー、２０４キー、２０５フレーム及び０１本体より構成されている。
断面Ｘ−Ｘに示しているのは隣り合った２０３、２０４キーの間にキーより高さが高い２０２フレームを設けてある。反対側面のキー操作で押す力の反力を指で受け持つために指を置くためのフレームである。２０２フレーム上に２０１指を置いておくと反対側面のキー操作力の反力を２０２フレーム上の２０１指で受け持っても誤って不要な２０３、２０４キーを押さないように２０３，２０４キーの高さより２０２フレームの高さを高くしてある。２０２フレームに２０１指を置いた位置より２０１指を移動せずに隣り合った２０３、２０４キーのいずれも押圧することができる。２０５フレームはキーを押し易いように２０３、２０４キーより高さを低くしてある。
また、ブラインドタッチで入力するので指のホームポジションを確認するために図３０と図３１と図３２の２０７黒丸印に示すフレームの特定の場所の表面に指の触覚で確認できる突起が付けてある。
また、ブラインドタッチで入力するので指のホームポジションを確認するために図３０と図３１のＹ視に示すように、２０２フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
図３３と図３４の断面Ｚ−Ｚに示しているのは隣り合ったキーに入力誤り無く文字を入力できるように工夫した発明である。断面Ｚ−Ｚは２０１指、２０８フレーム、２０９キー、２１０キー、２１１、２１２フレーム及び０１本体より構成されている。
断面Ｚ−Ｚに示しているのは隣り合った２０９、２１０キーの一方の側の操作する指の根元側にキーより高さが高い２０８フレームを設けてある。反対側面のキー操作で押す力の反力を指で受け持つために指を置くためのフレームである。２０８フレーム上に２０１指を置いておくと反対側面のキー操作力の反力を２０８フレーム上の２０１指で受け持っても誤って不要な２０９、２１０キーを押さないように２０９、２１０キーの高さより２０８フレームの高さを高くしてある。２０８フレームに２０１指を置いた位置より２０１指を移動せずに２０９キーを押圧することができる。２１０キーを押圧するには指を指の先端方向に少し移動する必要がある。２１１、２１２フレームはキーを押し易いように２０９、２１０キーより高さを低くしてある。
また、ブラインドタッチで入力するので指のホームポジションを確認するために図３３と図３４と図３５の２０７黒丸印に示すフレームの特定の場所の表面に指の触覚で確認できる突起が付けてある。
また、ブラインドタッチで入力するので指のホームポジションを確認するために図３３と図３４のＡ視に示すように、２０８フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
また、図３０と図３１と図３２はそれぞれ図１７と図２６と図２４の携帯電話機のキーにアルファベットを割当てた発明である。携帯電話機は約１２個のキーにアルファベット２６文字を割当てていたので文字入力速度は非常に遅いものであった。他方、パーソナルコンピューターは上中下に３段のＱＷＥＲＴＹキーボードであった。
ＱＷＥＲＴＹキーボードは世界中で使用されているが文字出現頻度、指の移動距離による手の疲労、文章をタイプする時の左右の手の交互打キーによるリズム、西洋の文字と東洋の文字の出現頻度の相互の譲り合い等を考えられたものでは無かった。
携帯電話機では２列に並んだキー配置で、１回の押圧動作でアルファベット２６文字のいずれも入力できる装置は過去に無いが、本発明は従来の欠点を補うものになっている。英語では文字出現頻度はＥＴＡＯＩＮＳＲＨＬＤＣＵＭＦＰＧＷＹＢＶＫＸＪＱＺの順になっていて、ＵＩＥＯＡの母音がその他の子音の間に出現する傾向は基本的にある。これに対し、日本語では文字出現頻度はＩＯＡＵＮＫＴＥＳＲＹＨＭＧＤＺＷＢＰの順になっている。東洋の文字はＵＩＥＯＡの母音が子音と交互に出現する特徴は明確である。図３０と図３１と図３２は西洋と東洋の文字出現頻度の高い文字ＵＩＥＯＡとＲＨＴＮＳとを両手の人差し指、中指、薬指、小指で最小限の指の移動で押圧できるように１列に並べて指の移動距離を短くしている。
また、人差し指、中指、薬指。小指の順に指の使用回数の負担がかかるように文字を配置してある。また、左右の手の指の交互打キーによる快適なリズム、西洋の文字出現頻度及び構造だけで無く東洋の文字出現頻度及び構造も考慮されているので世界の言語に使用できる。
また、図３３と図３４と図３５はそれぞれ図１７と図２６と図２４の携帯電話機のキーにアルファベットを割当てた発明である。割当てた思想は図３０と図３１と図３２同じであるがフレームの位置がキーの一方側にあるのでキーを押圧し易い側に出現頻度の高い文字を配置している。
また、図３０、図３１、図３２、図３３、図３４又は図３５に示すようにアルファベットが並んでいる携帯電話機で、シフトキーを押した時、アルファベットのＲのキーに数字の１を、Ｇに２、Ｈに３、Ｍに４、Ｔに５、Ｆに６、Ｎに７、Ｙに８、Ｓに９、Ｂに０を割り付ける。そうすると、シフトキーを操作する方の片手の指のみで電話番号等の数字を１，２・・・、９、０まで全て押圧できるので非常に便利で能率的である。
実施例１４
図３６と図３９と図４２のＸ−Ｘ断面とＹ視に示しているのは複数の行の１番目、２番目、３番目と順に並んだ３列の隣り合ったキーに入力誤り無く文字を入力できるように工夫した発明である。
図３６のＸ−Ｘ断面は２０１指、２３３フレーム、２２２−１、２２２−２、２２２−３キー及び０１本体より構成されている。
Ｘ−Ｘ断面に示しているのは隣り合った２２２−１、２２２−２キーの間にキーより高さが高い２３３フレームを設けてある。反対側面のキー操作で押す力の反力を指で受け持つために指を置くためのフレームである。２３３フレーム上に２０１指を置いておくと反対側面のキー操作力の反力を２３３フレーム上の２０１指で受け持っても誤って不要な２２２−１、２２２−２、２２２−３キーを押さないように２２２−１、２２２−２、２２２−３キーの高さより２３３フレームの高さを高くしてある。２３３フレームに２０１指を置いた位置より２０１指を移動せずに隣り合った２２２−１、２２２−２キーのいずれも押圧することができる。２２２−３キーは２０１指を移動して押圧する。
また、ブラインドタッチで入力するので指のホームポジションを確認するために図３６と図３９と図４２の２０７黒丸印に示すフレームの特定の場所の表面に指の触覚で確認できる突起が付けてある。
また、ブラインドタッチで入力するので指のホームポジションを確認するために図３６と図３９と図４２のＹ視に示すように、２３３フレームの表面に少なくとも１０本の指のホームポジションに、指が入る２０６窪みを設けて、ユーザーの１０本の指が窪みを触覚によって感知し、該１０本の指をホームポジションに誘導することができるようになっている。
また、図４４と図４５と図４６はそれぞれ図３６と図３９と図４２の携帯電話機のキーにアルファベットと数字を割当てた発明である。携帯電話機は約１２個のキーにアルファベット２６文字と数字１０文字を割当てていたので文字入力速度は非常に遅いものであった。他方、パーソナルコンピューターは上中下に数字や記号を含めると４段のＱＷＥＲＴＹキーボードであった。
ＱＷＥＲＴＹキーボードは世界中で使用されているが文字出現頻度、指の移動距離による手の疲労、文章をタイプする時の左右の手の交互打キーによるリズム、西洋の文字と東洋の文字の出現頻度の相互の譲り合い等を考えられたものでは無かった。
携帯電話機では３列に並んだキー配置で、１回の押圧動作でアルファベット２６文字と数字１０文字のいずれも入力できる装置は過去に無いが、本発明は従来の欠点を補うものになっている。英語では文字出現頻度はＥＴＡＯＩＮＳＲＨＬＤＣＵＭＦＰＧＷＹＢＶＫＸＪＱＺの順になっていて、ＵＩＥＯＡの母音がその他の子音の間に出現する傾向は基本的にある。これに対し、日本語では文字出現頻度はＩＯＡＵＮＫＴＥＳＲＹＨＭＧＤＺＷＢＰの順になっている。東洋の文字はＵＩＥＯＡの母音が子音と交互に出現する特徴は明確である。図４４と図４５と図４６は西洋と東洋の文字出現頻度の高い文字ＵＩＥＯＡとＲＨＴＮＳとを両手の人差し指、中指、薬指、小指で最小限の指の移動で押圧できるように１列に並べて指の移動距離を短くしている。
また、人差し指、中指、薬指。小指の順に指の使用回数の負担がかかるように文字を配置してある。また、左右の手の指の交互打キーによる快適なリズム、西洋の文字出現頻度及び構造だけで無く東洋の文字出現頻度及び構造も考慮されているので世界の言語に使用できる。
また、数字は視覚で覚えやすい位置に配置してある。
また、図４４又は図４５又は図４６に示すようにアルファベットが並んでいる携帯電話機でシフトキーを押圧した時、アルファベットのＲのキーに数字の１を、Ｇに２、Ｈに３、Ｍに４、Ｔに５、Ｆに６、Ｎに７、Ｙに８、Ｓに９、Ｂに０を割り付ける。そうすると、シフトキーを操作する方の片手の指のみで電話番号等の数字を１，２、・・・、９、０まで全て押圧できるので非常に便利で能率的である。
産業上の利用可能性
本発明は携帯電話機のキーを上記実施例のように配置して、モードキー等で入力条件を変えないでアルファベット２６文字のいずれの１文字も両手の指のうちのいずれかの１本の指の１回のキー押圧動作で入力できるので、ユーザーの入力間違いが格段に減少する。そしてキー１個に主として１つの文字と数字・記号・機能しか与えられていないので、指が文字キーの種類を認識し易い。
このような理由によりユーザーの疲労度が大きく軽減される。
両手の指１０本を全て使用すると親指１本に比べて文字入力速度は約２０倍に速度を増す。しかも本発明は、慣れると親指１本に比べてブラインドタッチができるまでの訓練期間がはるかに少ない。
ブラインドタッチができると、文字入力速度はさらに速度を増すことになる。
本発明により携帯電話機の文字入力速度は机上のパーソナルコンピューターの文字入力速度に匹敵するようになり、携帯電話機の通信手段としての新たな革命的分野が開ける。
また、文字キーの配置は両手の人差し指、中指、薬指、小指の最小限の指の移動で押圧できるように、西洋と東洋の文字出現頻度の高い文字を１列に並べて指の移動距離を短くし、人差し指、中指、薬指。小指の順に指の使用回数の負担がかかるように文字を配置してある。また、左右の手の交互打キーによる快適なリズム、西洋の文字出現頻度及び構造だけで無く東洋の文字出現頻度及び構造も考慮されているので世界の言語に使用できる。
携帯電話や小型のＰＤＡ機器で文字入力する人々は世界中で５億人を超すと予想されることから、本発明の携帯電話機の文字入力装置は産業上の利用可能性がある。
【図１】
0003630421.tif 000002
【図２】
0003630421.tif 000003
【図３】
0003630421.tif 000004
【図４】
0003630421.tif 000005
【図５】
0003630421.tif 000006
【図６】
0003630421.tif 000007
【図７】
0003630421.tif 000008
【図８】
0003630421.tif 000009
【図９】
0003630421.tif 000010
【図１０】
0003630421.tif 000011
【図１１】
0003630421.tif 000012
【図１２】
0003630421.tif 000013
【図１３】
0003630421.tif 000014
【図１４】
0003630421.tif 000015
【図１５】
0003630421.tif 000016
【図１６】
0003630421.tif 000017
【図１７】
0003630421.tif 000018
【図１８】
0003630421.tif 000019
【図１９】
0003630421.tif 000020
【図２０】
0003630421.tif 000021
【図２１】
0003630421.tif 000022
【図２２】
0003630421.tif 000023
【図２３】
0003630421.tif 000024
【図２４】
0003630421.tif 000025
【図２５】
0003630421.tif 000026
【図２６】
0003630421.tif 000027
【図２７】
0003630421.tif 000028
【図２８】
0003630421.tif 000029
【図２９】
0003630421.tif 000030
【図３０】
0003630421.tif 000031
【図３１】
0003630421.tif 000032
【図３２】
0003630421.tif 000033
【図３３】
0003630421.tif 000034
【図３４】
0003630421.tif 000035
【図３５】
0003630421.tif 000036
【図３６】
0003630421.tif 000037
【図３７】
0003630421.tif 000038
【図３８】
0003630421.tif 000039
【図３９】
0003630421.tif 000040
【図４０】
0003630421.tif 000041
【図４１】
0003630421.tif 000042
【図４２】
0003630421.tif 000043
【図４３】
0003630421.tif 000044
【図４４】
0003630421.tif 000045
【図４５】
0003630421.tif 000046
【図４６】
0003630421.tif 000047